(57)【特許請求の範囲】
【請求項１】
前辺と、当該前辺とは反対側に位置する後辺と、当該前辺と交差する第１の側辺と、当該第１の側辺とは反対側に位置する第２の側辺とを有する用紙に画像を形成する画像形成手段と、
前記画像形成手段に前記用紙を前記前辺側から給送する給送手段と、
前記用紙を前記前辺側から搬入する搬入部と、当該用紙を当該前辺側から搬出する搬出部と、当該搬入部にて搬入される状態と当該搬出部にて搬出される状態とで当該用紙の前記第１の側辺と前記第２の側辺との位置が入れ替わるように当該用紙の表裏を反転させる反転部と、を有する側辺側反転手段と、
前記前辺側が先端となって搬送される前記用紙を前記後辺側が先端となって搬送されるように当該用紙の表裏を反転させる前後側反転手段と、
前記画像形成手段、前記給送手段、前記側辺側反転手段および前記前後側反転手段の作動を制御する制御手段と、
を備え、
前記制御手段は、辺の少なくとも一部に一直線ではない特殊部位を有する特殊紙を含む用紙束に対する画像形成の要求であり、かつ、当該特殊紙の両面に対して画像形成の要求があった場合には、前記給送手段にて当該特殊部位を有する辺を前記後辺とした状態で給送し、前記画像形成手段にて当該特殊紙に対して後のページの画像を形成し、当該後のページの画像が形成された当該特殊紙を当該特殊部位が当該後辺側となる状態で前記側辺側反転手段にて表裏を反転させ、表裏が反転させられた当該特殊紙に対して当該画像形成手段にて先のページの画像を形成し、当該先のページの画像が形成された当該特殊紙を前記前後側反転手段にて表裏を反転させた後に下流側へ搬送することを特徴とする画像形成システム。
【請求項２】
前記制御手段は、前記特殊紙を含む用紙束に前記特殊部位が存在しない普通紙が含まれ、当該普通紙の両面に対して画像形成の要求があった場合には、前記画像形成手段にて当該普通紙に対して先のページの画像を形成し、当該先のページの画像が形成された当該普通紙を前記側辺側反転手段にて表裏を反転させ、表裏が反転させられた当該普通紙に対して当該画像形成手段にて後のページの画像を形成し、当該後のページの画像が形成された当該普通紙を前記前後側反転手段にて表裏を反転させることなしに下流側へ搬送することを特徴とする請求項１に記載の画像形成システム。
【請求項３】
前記制御手段は、前記特殊紙を含む用紙束に前記特殊部位が存在しない普通紙が含まれ、当該普通紙の両面に対して画像形成の要求があった場合には、前記画像形成手段にて当該普通紙に対して後のページの画像を形成し、当該後のページの画像が形成された当該普通紙を前記側辺側反転手段にて表裏を反転させ、表裏が反転させられた当該普通紙に対して当該画像形成手段にて先のページの画像を形成し、当該先のページの画像が形成された当該普通紙を前記前後側反転手段にて表裏を反転させた後に下流側へ搬送することを特徴とする請求項１に記載の画像形成システム。
【請求項４】
前記画像形成手段の画像形成部位の上流側にて前記用紙の前記前辺を検知する検知手段をさらに備え、
前記給送手段は、前記検知手段の検知結果に基づいて前記用紙を前記画像形成部位に給送することを特徴とする請求項１から３のいずれか１項に記載の画像形成システム。
【請求項５】
前辺と、当該前辺とは反対側に位置する後辺と、当該前辺と交差する第１の側辺と、当該第１の側辺とは反対側に位置する第２の側辺とを有する用紙に画像を形成する画像形成手段と、前記画像形成手段に前記用紙を前記前辺側から給送する給送手段と、前記用紙を前記前辺側から搬入する搬入部と、当該用紙を当該前辺側から搬出する搬出部と、当該搬入部にて搬入される状態と当該搬出部にて搬出される状態とで当該用紙の前記第１の側辺と前記第２の側辺との位置が入れ替わるように当該用紙の表裏を反転させる反転部と、を有する側辺側反転手段と、前記前辺側が先端となって搬送される前記用紙を前記後辺側が先端となって搬送されるように当該用紙の表裏を反転させる前後側反転手段と、を備える画像形成システムに、
辺の少なくとも一部に一直線ではない特殊部位を有する特殊紙を含む用紙束に対する画像形成の要求であり、かつ、当該特殊紙の両面に対して画像形成の要求があった場合に、
前記給送手段にて前記特殊部位を有する辺を前記後辺とした状態で給送される前記特殊紙に対して前記画像形成手段にて後のページの画像を形成する機能と、
前記後のページの画像が形成された前記特殊紙を前記特殊部位が前記後辺側となる状態で前記側辺側反転手段にて表裏を反転させる機能と、
前記側辺側反転手段にて表裏が反転させられた前記特殊紙に対して前記画像形成手段にて先のページの画像を形成する機能と、
前記先のページの画像が形成された前記特殊紙を前記前後側反転手段にて表裏を反転させた後に下流側へ搬送する機能と、
を実現させるプログラム。
【発明の詳細な説明】
【技術分野】
【０００１】
本発明は、画像形成システムおよびプログラムに関する。
【背景技術】
【０００２】
従来、用紙の表裏両面に画像形成を行う画像形成装置が提案されている。
特許文献１に記載の画像形成装置は、以下のように記載されている。すなわち、用紙に画像を転写する画像転写部と、この画像転写部により用紙に転写された画像を定着させる定着部と、搬送中の用紙を表裏反転させる表裏反転部と、画像形成済の用紙を排出する排出部と、を備えて構成されている。そして、この画像形成装置においては、両面印刷の場合は、第一面に画像が転写された後の用紙が定着部から表裏反転部へと送られ、そこでスイッチバック方式によって表裏反転される。
【先行技術文献】
【特許文献】
【０００３】
【特許文献１】特開２０００−２３３８５３号公報
【発明の概要】
【発明が解決しようとする課題】
【０００４】
辺の少なくとも一部に一直線ではない、例えばタブなどの特殊部位を有する特殊な用紙（特殊紙）を含む用紙束に対する画像形成の要求であり、かつ、この特殊紙の表裏両面に対して画像形成の要求があった場合でも、この特殊紙を含む用紙束におけるページの順番が順番通りになることが望ましい。
【課題を解決するための手段】
【０００５】
請求項１に記載の発明は、前辺と、当該前辺とは反対側に位置する後辺と、当該前辺と交差する第１の側辺と、当該第１の側辺とは反対側に位置する第２の側辺とを有する用紙に画像を形成する画像形成手段と、前記画像形成手段に前記用紙を前記前辺側から給送する給送手段と、前記用紙を前記前辺側から搬入する搬入部と、当該用紙を当該前辺側から搬出する搬出部と、当該搬入部にて搬入される状態と当該搬出部にて搬出される状態とで当該用紙の前記第１の側辺と前記第２の側辺との位置が入れ替わるように当該用紙の表裏を反転させる反転部と、を有する側辺側反転手段と、前記前辺側が先端となって搬送される前記用紙を前記後辺側が先端となって搬送されるように当該用紙の表裏を反転させる前後側反転手段と、前記画像形成手段、前記給送手段、前記側辺側反転手段および前記前後側反転手段の作動を制御する制御手段と、を備え、前記制御手段は、辺の少なくとも一部に一直線ではない特殊部位を有する特殊紙を含む用紙束に対する画像形成の要求であり、かつ、当該特殊紙の両面に対して画像形成の要求があった場合には、前記給送手段にて当該特殊部位を有する辺を前記後辺とした状態で給送し、前記画像形成手段にて当該特殊紙に対して後のページの画像を形成し、当該後のページの画像が形成された当該特殊紙を当該特殊部位が当該後辺側となる状態で前記側辺側反転手段にて表裏を反転させ、表裏が反転させられた当該特殊紙に対して当該画像形成手段にて先のページの画像を形成し、当該先のページの画像が形成された当該特殊紙を前記前後側反転手段にて表裏を反転させた後に下流側へ搬送することを特徴とする画像形成システムである。
【０００６】
請求項２に記載の発明は、前記制御手段は、前記特殊紙を含む用紙束に前記特殊部位が存在しない普通紙が含まれ、当該普通紙の両面に対して画像形成の要求があった場合には、前記画像形成手段にて当該普通紙に対して先のページの画像を形成し、当該先のページの画像が形成された当該普通紙を前記側辺側反転手段にて表裏を反転させ、表裏が反転させられた当該普通紙に対して当該画像形成手段にて後のページの画像を形成し、当該後のページの画像が形成された当該普通紙を前記前後側反転手段にて表裏を反転させることなしに下流側へ搬送することを特徴とする請求項１に記載の画像形成システムである。
【０００７】
請求項３に記載の発明は、前記制御手段は、前記特殊紙を含む用紙束に前記特殊部位が存在しない普通紙が含まれ、当該普通紙の両面に対して画像形成の要求があった場合には、前記画像形成手段にて当該普通紙に対して後のページの画像を形成し、当該後のページの画像が形成された当該普通紙を前記側辺側反転手段にて表裏を反転させ、表裏が反転させられた当該普通紙に対して当該画像形成手段にて先のページの画像を形成し、当該先のページの画像が形成された当該普通紙を前記前後側反転手段にて表裏を反転させた後に下流側へ搬送することを特徴とする請求項１に記載の画像形成システムである。
【０００８】
請求項４に記載の発明は、前記画像形成手段の画像形成部位の上流側にて前記用紙の前記前辺を検知する検知手段をさらに備え、前記給送手段は、前記検知手段の検知結果に基づいて前記用紙を前記画像形成部位に給送することを特徴とする請求項１から３のいずれか１項に記載の画像形成システムである。
【０００９】
請求項５に記載の発明は、前辺と、当該前辺とは反対側に位置する後辺と、当該前辺と交差する第１の側辺と、当該第１の側辺とは反対側に位置する第２の側辺とを有する用紙に画像を形成する画像形成手段と、前記画像形成手段に前記用紙を前記前辺側から給送する給送手段と、前記用紙を前記前辺側から搬入する搬入部と、当該用紙を当該前辺側から搬出する搬出部と、当該搬入部にて搬入される状態と当該搬出部にて搬出される状態とで当該用紙の前記第１の側辺と前記第２の側辺との位置が入れ替わるように当該用紙の表裏を反転させる反転部と、を有する側辺側反転手段と、前記前辺側が先端となって搬送される前記用紙を前記後辺側が先端となって搬送されるように当該用紙の表裏を反転させる前後側反転手段と、を備える画像形成システムに、辺の少なくとも一部に一直線ではない特殊部位を有する特殊紙を含む用紙束に対する画像形成の要求であり、かつ、当該特殊紙の両面に対して画像形成の要求があった場合に、前記給送手段にて前記特殊部位を有する辺を前記後辺とした状態で給送される前記特殊紙に対して前記画像形成手段にて後のページの画像を形成する機能と、前記後のページの画像が形成された前記特殊紙を前記特殊部位が前記後辺側となる状態で前記側辺側反転手段にて表裏を反転させる機能と、前記側辺側反転手段にて表裏が反転させられた前記特殊紙に対して前記画像形成手段にて先のページの画像を形成する機能と、前記先のページの画像が形成された前記特殊紙を前記前後側反転手段にて表裏を反転させた後に下流側へ搬送する機能と、を実現させるプログラムである。
【発明の効果】
【００１０】
請求項１の発明によれば、特殊紙の表裏両面に対して画像形成の要求があった場合であっても、この特殊紙を含む用紙束におけるページの順番を順番通りにすることができる。
請求項２の発明によれば、特殊紙と普通紙とから構成される用紙束におけるページの順番を順番通りにすることができる。
請求項３の発明によれば、特殊紙と普通紙とから構成される用紙束におけるページの順番を順番通りにすることができる。
請求項４の発明によれば、本発明を採用しない場合に比べて、特殊紙の両面に対してより確度高く画像を形成することができる。
請求項５の発明によれば、特殊紙の表裏両面に対して画像形成の要求があった場合であっても、この特殊紙を含む用紙束におけるページの順番を順番通りにすることができる。
【図面の簡単な説明】
【００１１】
【図１】実施の形態に係る画像形成装置を手前側から眺めた場合の図である。
【図２】実施の形態に係る用紙反転装置の全体構成を示す斜視図である。
【図３】用紙反転装置に設けられる各搬送経路と各搬送経路における用紙の搬送方向との関係を説明するための図である。
【図４】図２に示す用紙反転装置において、さらに第２反転案内板を開状態に設定した場合の斜視図である。
【図５】図２に示す用紙反転装置において、さらに反転部を開状態に設定した場合の斜視図である。
【図６】図５に示す用紙反転装置において、さらに第２反転案内板を開状態に設定した場合の斜視図である。
【図７】図６に示す用紙反転装置において、さらに第２搬入案内板を開状態に設定した場合の斜視図である。
【図８】図６に示す用紙反転装置において、さらに第２搬出案内板を開状態に設定した場合の斜視図である。
【図９】本実施の形態の用紙反転装置における各搬送経路および各搬送部の構成を説明するための図である。
【図１０】用紙反転装置の各搬送部に設けられた搬送ロール対の構成を説明するための図である。
【図１１】実施の形態の用紙反転装置における各搬送経路と各搬送ロール対との関係を説明するための図である。
【図１２】上流側第１反転ロール対を進退させる進退機構および上流側第１反転ロール対を回転させる回転機構の構成の一例を示す図である。
【図１３】搬入部の第１搬入案内板および搬入側切替板を示す斜視図である。
【図１４】突き当て部材の周辺の構成を説明するための図である。
【図１５】突き当て部材および移動機構の作用を示す図である。
【図１６】タブ紙の両面に対して画像形成の要求があった場合の動作を示す図である。
【図１７】タブ紙を含む用紙束に対する画像形成の要求であり、かつ、用紙の両面に対して画像形成の要求があった場合の動作を示す図である。
【図１８】制御部が、タブ紙を含む用紙束内のタブ紙の両面に対して画像形成を行う際の処理手順を示すフローチャートである。
【図１９】制御部が、タブ紙を含む用紙束内の普通紙の両面に対して画像形成を行う際の処理手順を示すフローチャートである。
【図２０】タブ紙を含む用紙束に対する画像形成の要求であり、かつ、用紙の両面に対して画像形成の要求があった場合の他の動作を示す図である。
【図２１】制御部が、タブ紙を含む用紙束内の普通紙の両面に対して画像形成を行う際の処理手順を示すフローチャートである。
【図２２】用紙処理装置の概略構成を示す図である。
【発明を実施するための形態】
【００１２】
以下、添付図面を参照して、実施の形態について詳細に説明する。
図１は、実施の形態に係る画像形成装置１を手前側から眺めた場合の図である。図１に示す画像形成システムの一例としての画像形成装置１は、所謂タンデム型の構成を有するものであって、電子写真方式により各色成分のトナー像を形成する複数の画像形成ユニット１０(１０Ｙ、１０Ｍ、１０Ｃ、１０Ｋ）を備えている。また、画像形成装置１は、ＣＰＵ（Central Processing Unit）、ＲＯＭ（Read Only Memory）、ＲＡＭ（Random Access Memory）などを含んで構成され、画像形成装置１を構成する各装置および各部の動作を制御する制御手段の一例としての制御部８０を備えている。さらに、画像形成装置１は、例えばパーソナルコンピュータ（ＰＣ）や画像読取装置（スキャナ）等から画像データ等を受信する受信部７０を有している。
【００１３】
また、画像形成装置１は、タッチパネル等により構成され、ユーザから受けた指示を制御部８０に出力するとともに制御部８０からの情報をユーザに提示するユーザインタフェース部（ＵＩ）９０を備えている。これらパーソナルコンピュータ（ＰＣ）やユーザインタフェース部（ＵＩ）９０を介して、ユーザは、後述するタブ紙の両面に対する画像形成の要求を行うことが可能になっている。また、タブ紙と普通紙とから構成される用紙束に対する画像形成の要求や、タブ紙のみから構成される用紙束に対する画像形成の要求を行うことが可能になっている。その際、用紙束におけるページ数のどのページがタブ紙に対する画像であるかも指示することが可能になっている。
【００１４】
また、画像形成装置１は、各画像形成ユニット１０にて形成された各色成分トナー像が順次転写（一次転写）されるとともにこのトナー像を保持する中間転写ベルト２０と、中間転写ベルト２０上のトナー像を矩形状に形成された用紙Ｐに一括転写（二次転写）する画像形成手段の一例としての二次転写装置３０とを備えている。
画像形成ユニット１０の各々は、回転可能に取り付けられた感光体ドラム１１を備えている。また、画像形成ユニット１０の各々において、感光体ドラム１１の周囲には、感光体ドラム１１を帯電する帯電装置１２、感光体ドラム１１を露光して静電潜像を書き込む露光装置１３、感光体ドラム１１上の静電潜像をトナーにより可視像化する現像装置１４が設けられている。さらに、画像形成ユニット１０の各々には、感光体ドラム１１上に形成された各色成分トナー像を中間転写ベルト２０に転写する一次転写装置１５、感光体ドラム１１上の残留トナーを除去するドラム清掃装置１６が設けられている。
【００１５】
次に、中間転写ベルト２０は、それぞれが回転可能に設けられた３本のロール部材２１〜２３に掛け渡され、回転するように設けられている。これら３本のロール部材２１〜２３のうち、ロール部材２２は、中間転写ベルト２０を駆動するようになっている。また、ロール部材２３は、中間転写ベルト２０を挟んで二次転写ロール３１に対向配置されており、これら二次転写ロール３１およびロール部材２３によって二次転写装置３０が構成されている。なお、中間転写ベルト２０を挟んでロール部材２１と対向する位置には、中間転写ベルト２０上の残留トナーを除去するベルト清掃装置２４が設けられている。
【００１６】
また、画像形成装置１には、二次転写装置３０に向けて搬送される用紙Ｐが通過する第１搬送経路Ｒ１、二次転写装置３０を通過した後の用紙Ｐが通過する第２搬送経路Ｒ２、後述する定着装置５０よりも下流側にて第２搬送経路Ｒ２から分岐するとともに第１搬送経路Ｒ１の下方まで延び、用紙Ｐを後述する第１の反転装置１００に導く第３搬送経路Ｒ３、第１の反転装置１００を通過した用紙を再び第１搬送経路Ｒ１に導く第４搬送経路Ｒ４が設けられている。ここで、第１搬送経路Ｒ１〜第４搬送経路Ｒ４では、用紙Ｐが有する４つの辺のうちの互いに対向する関係の２つの辺（一の辺とこの一の辺とは反対側に位置する他方の辺：詳細は後述する）が、これらの搬送経路に沿って移動するように、用紙Ｐの搬送が行われる。
【００１７】
そして、本実施の形態の画像形成装置１は、第３搬送経路Ｒ３から搬入された用紙Ｐの表裏を反転して第４搬送経路Ｒ４に搬出する第１の反転装置１００をさらに備えている。この第１の反転装置１００は、第１搬送経路Ｒ１における用紙搬送方向および第３搬送経路Ｒ３における用紙搬送方向に沿う軸線を中心に用紙Ｐを反転させる機能を有している。すなわち、本実施の形態の第１の反転装置１００は、用紙Ｐにおける用紙搬送方向の先端および後端の関係を変えることなく、用紙Ｐの２つの側端（側辺）の関係を反転させる。第１の反転装置１００は、側辺側反転手段の一例として機能する。そして、この第１の反転装置１００は、第３搬送経路Ｒ３に接続される搬入経路Ｒａと、第４搬送経路Ｒ４に接続される搬出経路Ｒｃと、搬入経路Ｒａから供給されてきた用紙Ｐの表裏を反転させて搬出経路Ｒｃに供給する反転経路Ｒｂとを有している。
なお、第１の反転装置１００における用紙Ｐの搬入側となる第３搬送経路Ｒ３には、用紙Ｐの通過を検知する用紙検知センサ６０が取り付けられている。
【００１８】
また、本実施の形態の画像形成装置１は、第２搬送経路Ｒ２を通過する用紙Ｐの用紙搬送方向の先端と後端とが入れ替わるように表裏を反転する前後側反転手段の一例としての第２の用紙反転装置１１０を備えている。この第２の反転装置１１０は、用紙Ｐにおける用紙搬送方向の２つの側端の関係を変えることなく、用紙Ｐの先端および後端の関係を反転させる。この第２の用紙反転装置１１０についての詳細は後述する。
さらに、本実施の形態の画像形成装置１には、画像形成装置１の筐体２に開口部３が形成されている。また、画像形成装置１は、この開口部３から排出された用紙Ｐを積載する用紙積載部４を備えている。第２搬送経路Ｒ２に沿って搬送されてきた用紙Ｐのうち、第３搬送経路Ｒ３に導かれないものは、開口部３を通じて筐体２の外部に排出され、用紙積載部４に積載される。
【００１９】
また、画像形成装置１は、第１搬送経路Ｒ１に用紙Ｐを供給する第１用紙供給装置４０Ａと、第１用紙供給装置４０Ａよりも用紙Ｐの搬送方向における下流側に設けられ、第１搬送経路Ｒ１に用紙Ｐを供給する第２用紙供給装置４０Ｂとをさらに備えている。なお、第１用紙供給装置４０Ａおよび第２用紙供給装置４０Ｂは同様に構成されており、第１用紙供給装置４０Ａおよび第２用紙供給装置４０Ｂの各々には、用紙Ｐを収容する用紙収容部４１、用紙収容部４１に収容された用紙Ｐを取り出して搬送する取り出しロール４２が設けられている。用紙収容部４１は、後述するタブ紙を、タブが形成された辺と対向する辺側から取り出しロール４２にて取り出されるように収容可能である。つまり、図１では、タブが形成された辺が左側となる状態で収容可能である。
【００２０】
また、第１搬送経路Ｒ１上であって二次転写装置３０の上流側には、第１搬送経路Ｒ１上の用紙Ｐを二次転写装置３０に向けて搬送（給送）する給送手段の一例としての第１搬送ロール４４が設けられている。さらに、第１搬送ロール４４に向けて用紙Ｐを搬送する第２搬送ロール４５、第２搬送ロール４５に向けて用紙Ｐを搬送する第３搬送ロール４６、第３搬送ロール４６に向けて用紙Ｐを搬送する第４搬送ロール４７が設けられている。第１搬送ロール４４の用紙搬送方向上流側には、用紙Ｐの先端の通過を検知するレジセンサ３２が設けられている。
【００２１】
またこれらの搬送ロールの他に、第１搬送経路Ｒ１、第２搬送経路Ｒ２、第３搬送経路Ｒ３、および第４搬送経路Ｒ４には、これらの搬送経路上に位置する用紙Ｐを搬送する搬送ロール４８が複数設けられている。なお、第１搬送ロール４４、第２搬送ロール４５、第３搬送ロール４６、第４搬送ロール４７、および搬送ロール４８は、回転可能に設けられ互いに押し合う一対のロール状部材によって構成されるとともに一方のロール状部材が回転駆動されることで用紙Ｐの搬送を行う。
【００２２】
また本実施の形態では、第２搬送ロール４５と第３搬送ロール４６との間に、用紙Ｐの先端が突き当てられる突き当て部材４３が設けられている。本実施の形態では、この突き当て部材４３に対して用紙Ｐの先端が突き当てられることで、用紙Ｐのスキュー（搬送方向に対する用紙Ｐの傾き）が補正されるようになっている。なお、突き当て部材４３により用紙Ｐのスキューが補正された後、この突き当て部材４３は第１搬送経路Ｒ１から退避する。この突き当て部材４３の周辺構造の詳細については後述する。
【００２３】
また、画像形成装置１は、第２搬送経路Ｒ２上に、二次転写装置３０により用紙Ｐ上に二次転写された画像をこの用紙Ｐに定着させる定着装置５０をさらに備えている。この定着装置５０は、内蔵されたヒータ（不図示）により加熱される加熱ロール５０Ａと、加熱ロール５０Ａを押圧する押圧ロール５０Ｂとを有している。そして、この定着装置５０では、加熱ロール５０Ａと押圧ロール５０Ｂとの間を用紙Ｐが通過することで、用紙Ｐが加熱および加圧され、用紙Ｐ上の画像が用紙Ｐに定着される。
さらに、二次転写装置３０と定着装置５０との間には、二次転写装置３０を通過した用紙Ｐを定着装置５０へ搬送するベルト搬送部４９が設けられている。ベルト搬送部４９は、周回移動するベルトを有しており、このベルトの上に用紙Ｐを載せて用紙Ｐの搬送を行う。
【００２４】
また、本実施の形態の画像形成装置１では、第１用紙供給装置４０Ａ等から供給された用紙Ｐの一方の面に画像を形成することができるのに加え、用紙Ｐの他方の面に画像を形成することができるようになっている。より具体的に説明すると、この画像形成装置１では、定着装置５０を通過した用紙Ｐの表裏が第１の反転装置１００によって反転され、表裏が反転された用紙Ｐが再度二次転写装置３０へと搬送される。そして二次転写装置３０にて用紙Ｐの他方の面に対して画像が転写される。その後、この用紙Ｐは定着装置５０を再び通過し、転写されたこの画像は用紙Ｐに定着される。これにより、用紙Ｐの両面に画像が形成される。
【００２５】
次に、第１の反転装置１００の詳細について説明する。
図２は、本実施の形態に係る第１の反転装置１００の全体構成を示す斜視図である。
第１の反転装置１００は、４本の支柱および各支柱を接続するステーを備えた枠体１０１と、枠体１０１に取り付けられて用紙Ｐの反転搬送に用いられる用紙案内部２００とを備えている。
【００２６】
これらのうち、用紙案内部２００は、第３搬送経路Ｒ３から用紙Ｐが搬入される搬入部２１０と、搬入部２１０から送られてきた用紙Ｐの表裏を反転させる反転部２２０と、反転部２２０から送られてきた用紙Ｐを第４搬送経路Ｒ４に搬出する搬出部２３０とを備えている。ここで、本実施の形態では、搬出部２３０が搬入部２１０の上方に配置されており、しかも、上方からみたときに、搬出部２３０と搬入部２１０とが重なっている。一方、反転部２２０は、搬入部２１０および搬出部２３０に対し、図２において手前側すなわち図１に示す画像形成装置１において手前側となる位置に配置されている。これにより、第１の反転装置１００では、用紙案内部２００を構成する搬入部２１０および搬出部２３０の間に、空間が形成されている。
【００２７】
また、搬入部２１０には、第３搬送経路Ｒ３から用紙Ｐを受け取る搬入経路Ｒａが、反転部２２０には、搬入経路Ｒａから用紙Ｐを受け取り且つ用紙Ｐを反転させるための反転経路Ｒｂが、搬出部２３０には、反転経路Ｒｂから用紙Ｐを受け取り且つ受け取った用紙Ｐを第４搬送経路Ｒ４に受け渡すための搬出経路Ｒｃが、それぞれ設けられている。したがって、用紙案内部２００において、搬入経路Ｒａ、反転経路Ｒｂおよび搬出経路Ｒｃは、互いに連続する搬送経路を構成している。
【００２８】
ここで、搬入部２１０は、互いに対向して配置されることで搬入経路Ｒａを形成する第１搬入案内板２１１および第２搬入案内板２１２を備えている。この例では、第１搬入案内板２１１が、第２搬入案内板２１２からみて第１の反転装置１００の外側（下側）に位置しており、第２搬入案内板２１２の上方に、上述した空間が形成されている。
【００２９】
また、反転部２２０は、互いに対向して配置されることで反転経路Ｒｂを形成する第１反転案内板２２１（後述する図４〜図８を参照）および第２反転案内板２２２を備えている。この例では、第２反転案内板２２２が、第１反転案内板２２１からみて第１の反転装置１００の外側に位置しており、第２反転案内板２２２のうち第１反転案内板２２１とは逆側となる側方に、上述した空間が形成されている。
【００３０】
さらに、搬出部２３０は、互いに対向して配置されることで搬出経路Ｒｃを形成する第１搬出案内板２３１および第２搬出案内板２３２を備えている。この例では、第１搬出案内板２３１が、第２搬出案内板２３２からみて第１の反転装置１００の外側（上側）に位置しており、第２搬出案内板２３２の下方に、上述した空間が形成されている。
なお、搬入部２１０、反転部２２０および搬出部２３０には、それぞれ、用紙Ｐを搬送する複数個の搬送ロールを設けているのであるが、この詳細については後述する。
【００３１】
図３は、第１の反転装置１００に設けられる各搬送経路と各搬送経路における用紙Ｐの搬送方向との関係を説明するための図である。なお、図３に示す各搬送経路は、図２に示す第１の反転装置１００を斜め奥側から眺めた場合に対応している。
【００３２】
ここで、本実施の形態では、第１の反転装置１００を通過する用紙Ｐの各部を、次のように規定する。まず、用紙Ｐとして矩形状の普通紙を例にし、第３搬送経路Ｒ３から搬入経路Ｒａに搬入されてくる用紙Ｐにおいて、搬送方向の先頭を用紙先端Ｐｌと呼び、搬送方向の後尾を用紙後端Ｐｔと呼ぶ。また、第３搬送経路Ｒ３から搬入経路Ｒａに搬入されてくる用紙Ｐにおいて、搬送方向の左側端を用紙第１側端Ｐｓ１と呼び、搬送方向の右側端を用紙第２側端Ｐｓ２と呼ぶ。さらに、第３搬送経路Ｒ３から搬入経路Ｒａに搬入されてくる用紙Ｐにおいて、上方を向く面を用紙表面Ｐｆと呼び、下方を向く面を用紙裏面Ｐｂと呼ぶ。なお、この例では、二次転写装置３０による二次転写面が用紙裏面Ｐｂとなり、他方の面が用紙表面Ｐｆとなる。
ここで、本実施の形態では、用紙先端Ｐｌが前辺に、用紙後端Ｐｔが後辺に、用紙第１側端Ｐｓ１が第１の側辺に、そして用紙第２側端Ｐｓ２が第２の側辺に、それぞれ対応している。
【００３３】
搬入経路Ｒａには、第３搬送経路Ｒ３から、用紙表面Ｐｆが上方を向くとともに、用紙先端Ｐｌを先頭とし且つ用紙後端Ｐｔを後尾として、用紙第１側端Ｐｓ１および用紙第２側端Ｐｓ２に倣う搬入方向Ｄａ１に沿って、用紙Ｐが送られてくる。また、搬入経路Ｒａからは、反転経路Ｒｂに向けて、用紙表面Ｐｆが上方を向くとともに、用紙第１側端Ｐｓ１を先頭とし且つ用紙第２側端Ｐｓ２を後尾として、用紙先端Ｐｌおよび用紙後端Ｐｔに倣う受渡方向Ｄａ２に沿って、用紙Ｐが送り出される。
【００３４】
反転経路Ｒｂには、搬入経路Ｒａから、用紙表面Ｐｆが上方を向くとともに、用紙第１側端Ｐｓ１を先頭とし且つ用紙第２側端Ｐｓ２を後尾として、用紙先端Ｐｌおよび用紙後端Ｐｔに倣う反転方向Ｄｂに沿って、用紙Ｐが送られてくる。なお、搬入経路Ｒａと反転経路Ｒｂとの境界部において、受渡方向Ｄａ２および反転方向Ｄｂは同じ向きとなっている。ここで、反転方向Ｄｂは湾曲した形状（Ｕ字状）となっており、反転経路Ｒｂ内を搬送される用紙Ｐは、上方からみたときの用紙第１側端Ｐｓ１と用紙第２側端Ｐｓ２との関係が逆転し、その表裏（用紙表面Ｐｆおよび用紙裏面Ｐｂ）の関係が反転された状態となって搬送されていく。これにより、反転経路Ｒｂからは、用紙裏面Ｐｂが上方を向くとともに、用紙第１側端Ｐｓ１を先頭とし且つ用紙第２側端Ｐｓ２を後尾として、用紙先端Ｐｌおよび用紙後端Ｐｔに倣う反転方向Ｄｂに沿って、用紙Ｐが送り出される。
【００３５】
搬出経路Ｒｃには、反転経路Ｒｂから、用紙裏面Ｐｂが上方を向くとともに、用紙第１側端Ｐｓ１を先頭とし且つ用紙第２側端Ｐｓ２を後尾として、用紙先端Ｐｌおよび用紙後端Ｐｔに倣う受取方向Ｄｃ１に沿って、用紙Ｐが送られてくる。なお、反転経路Ｒｂと搬出経路Ｒｃとの境界部において、反転方向Ｄｂおよび受取方向Ｄｃ１は同じ向きとなっている。また、搬出経路Ｒｃからは、第４搬送経路Ｒ４に向けて、用紙裏面Ｐｂが上方を向くとともに、用紙先端Ｐｌを先頭とし且つ用紙後端Ｐｔを後尾として、用紙第１側端Ｐｓ１および用紙第２側端Ｐｓ２に倣う搬出方向Ｄｃ２に沿って、用紙Ｐが送り出される。
【００３６】
このように、本実施の形態の第１の反転装置１００では、第３搬送経路Ｒ３から供給される用紙Ｐの進行方向を、搬入経路Ｒａにおいて９０°転換させて反転経路Ｒｂに供給し、搬入経路Ｒａから供給される用紙Ｐを、反転経路Ｒｂにおいて１８０°回転させることでその表裏を反転させて搬出経路Ｒｃに供給し、反転経路Ｒｂから供給される用紙Ｐの進行方向を、搬出経路Ｒｃにおいて９０°転換させて第４搬送経路Ｒ４に供給している。このとき、搬入経路Ｒａにおける搬入方向Ｄａ１および搬出経路Ｒｃにおける搬出方向Ｄｃ２は同じ向きとなっている。そして、用紙Ｐは、第１の反転装置１００の通過前後において、搬送方向に対する用紙先端Ｐｌおよび用紙後端Ｐｔの関係は変わらない一方、搬送方向に対する用紙第１側端Ｐｓ１および用紙第２側端Ｐｓ２の関係が逆転することにより、用紙表面Ｐｆおよび用紙裏面Ｐｂが反転されることになる。
【００３７】
次に、第１の反転装置１００に関し、より詳細な構成について説明を行う。
図４は、図２に示す第１の反転装置１００において、さらに第２反転案内板２２２を開状態に設定した場合の斜視図である。
本実施の形態では、第１の反転装置１００を構成する反転部２２０において、第２反転案内板２２２が、第１反転案内板２２１に対し開閉可能に設けられている。ここで、第２反転案内板２２２は、搬入部２１０側となる下方を軸として回転するようになっている。このため、反転部２２０において、第１反転案内板２２１に対し第２反転案内板２２２を開くことで、これらによって形成される反転経路Ｒｂ（図２参照）が、第１の反転装置１００および画像形成装置１（図１参照）の手前側に、上方に向かって拡がった状態で露出するようになる。
【００３８】
図５は、図２に示す第１の反転装置１００において、さらに反転部２２０を開状態に設定した場合の斜視図である。
本実施の形態では、第１の反転装置１００を構成する反転部２２０自体が、枠体１０１に対し開閉可能に設けられている。ここで、反転部２２０は、枠体１０１の手前側且つ図中奥側に設けられた支柱を軸として回転するようになっている。このため、第１の反転装置１００において、枠体１０１に対し反転部２２０を開くことで、第１の反転装置１００において搬入部２１０と搬出部２３０との間に形成された空間が、第１の反転装置１００および画像形成装置１（図１参照）の手前側に露出するようになる。
【００３９】
図６は、図５に示す第１の反転装置１００において、さらに第２反転案内板２２２を開状態に設定した場合の斜視図である。
このように、本実施の形態の第１の反転装置１００では、枠体１０１に対し反転部２２０を開いた後、さらに反転部２２０において、第１反転案内板２２１に対し第２反転案内板２２２を開くことも可能となっている。
【００４０】
図７は、図６に示す第１の反転装置１００において、さらに第２搬入案内板２１２を開状態に設定した場合の斜視図である。
本実施の形態では、第１の反転装置１００を構成する搬入部２１０において、第２搬入案内板２１２が、枠体１０１に固定された第１搬入案内板２１１に対し開閉可能に設けられている。ここで、第２搬入案内板２１２は、図１に示す画像形成装置１において奥側となる第１の反転装置１００の奥側を軸として回転するようになっている。このため、反転部２２０が開状態に設定された第１の反転装置１００において、第１搬入案内板２１１に対し第２搬入案内板２１２を開くことで、これらによって形成される搬入経路Ｒａ（図２参照）が、第１の反転装置１００および画像形成装置１の手前側に、前方に向かって拡がった状態で露出するようになる。
【００４１】
図８は、図６に示す第１の反転装置１００において、さらに第２搬出案内板２３２を開状態に設定した場合の斜視図である。
本実施の形態では、第１の反転装置１００を構成する搬出部２３０において、第２搬出案内板２３２が、枠体１０１に固定された第１搬出案内板２３１に対し開閉可能に設けられている。ここで、第２搬出案内板２３２は、図１に示す画像形成装置１において奥側となる第１の反転装置１００の奥側を軸として回転するようになっている。このため、反転部２２０が開状態に設定された第１の反転装置１００において、第１搬出案内板２３１に対し第２搬出案内板２３２を開くことで、これらによって形成される搬出経路Ｒｃ（図２参照）が、第１の反転装置１００および画像形成装置１の手前側に、前方に向かって拡がった状態で露出するようになる。
【００４２】
したがって、反転部２２０において用紙Ｐのジャムが発生した場合は、例えば図４に示す状態に第１の反転装置１００を設定することで、ジャムとなった用紙Ｐの除去が行えるようになる。また、搬入部２１０で用紙Ｐのジャムが発生した場合は、例えば図７に示す状態に第１の反転装置１００を設定することで、ジャムとなった用紙Ｐの除去が行えるようになる。さらに、搬出部２３０で用紙Ｐのジャムが発生した場合は、例えば図８に示す状態に第１の反転装置１００を設定することで、ジャムとなった用紙Ｐの除去が行えるようになる。そして、これらのジャム除去を行う場合、ユーザは、画像形成装置１の手前側から、第１の反転装置１００の各部を操作すればよいことになる。
なお、搬入部２１０には、第１搬入案内板２１１に対し第２搬入案内板２１２を固定するための機構（図示せず）が、反転部２２０には、第１反転案内板２２１に対し第２反転案内板２２２を固定するための機構（図示せず）が、搬出部２３０には、第１搬出案内板２３１に対し第２搬出案内板２３２を固定するための機構（図示せず）が、それぞれ取り付けられている。
【００４３】
図９は、本実施の形態の第１の反転装置１００における各搬送経路および各搬送部の構成を説明するための図である。なお、図９は、第１の反転装置１００における搬入経路Ｒａ、反転経路Ｒｂおよび搬出経路Ｒｃを、平面上に展開した状態を示している。
【００４４】
この第１の反転装置１００は、搬入部２１０に設けられ、用紙Ｐを搬入方向Ｄａ１に沿って搬送する搬入搬送部３００および用紙Ｐを受渡方向Ｄａ２に沿って搬送する上流側反転搬送部４００Ａを備えている。また、この第１の反転装置１００は、反転部２２０に設けられ、用紙Ｐを反転方向Ｄｂに沿って搬送する中流側反転搬送部４００Ｂを備えている。さらに、この第１の反転装置１００は、搬出部２３０に設けられ、用紙Ｐを受取方向Ｄｃ１に沿って搬送する下流側反転搬送部４００Ｃおよび用紙Ｐを搬出方向Ｄｃ２に沿って搬送する搬出搬送部５００を備えている。なお、本実施の形態では、搬入部２１０に設けられる上流側反転搬送部４００Ａ、反転部２２０に設けられる中流側反転搬送部４００Ｂおよび搬出部２３０に設けられる下流側反転搬送部４００Ｃを、まとめて反転搬送部４００と称する。
【００４５】
これらのうち、搬入部２１０に設けられる搬入搬送部３００は、搬入方向Ｄａ１の上流側から順に、第３搬送経路Ｒ３に最も近い第１搬入ロール対３０１、第２搬入ロール対３０２、第３搬入ロール対３０３、第４搬入ロール対３０４、第５搬入ロール対３０５および第６搬入ロール対３０６を備えている。一方、搬入部２１０に設けられる上流側反転搬送部４００Ａは、受渡方向Ｄａ２の上流側から順に、上流側第１反転ロール対４０１、上流側第２反転ロール対４０２、上流側第３反転ロール対４０３、および一対の回転体の一例としての反転経路Ｒｂに最も近い上流側第４反転ロール対４０４を備える。
また、反転部２２０に設けられる中流側反転搬送部４００Ｂは、反転方向Ｄｂの上流側から順に、搬入経路Ｒａに最も近い中流側第１反転ロール対４１１、中流側第２反転ロール対４１２、および搬出経路Ｒｃに最も近い中流側第３反転ロール対４１３を備える。
【００４６】
さらに、搬出部２３０に設けられる下流側反転搬送部４００Ｃは、受取方向Ｄｃ１の上流側から順に、反転経路Ｒｂに最も近い一対の回転体の一例としての下流側第１反転ロール対４２１、下流側第２反転ロール対４２２、下流側第３反転ロール対４２３および下流側第４反転ロール対４２４を備える。一方、搬出部２３０に設けられる搬出搬送部５００は、搬出方向Ｄｃ２の上流側から順に、第１搬出ロール対５０１、第２搬出ロール対５０２、第３搬出ロール対５０３、第４搬出ロール対５０４、第５搬出ロール対５０５、および第４搬送経路Ｒ４に最も近い第６搬出ロール対５０６を備える。
【００４７】
そして、搬入経路Ｒａでは、搬入搬送部３００を構成する第３搬入ロール対３０３と第４搬入ロール対３０４との間に、上流側反転搬送部４００Ａを構成する上流側第１反転ロール対４０１〜上流側第３反転ロール対４０３が配置されている。一方、搬出経路Ｒｃでは、搬出搬送部５００を構成する第３搬出ロール対５０３と第４搬出ロール対５０４との間に、下流側反転搬送部４００Ｃを構成する下流側第２反転ロール対４２２〜下流側第４反転ロール対４２４が配置されている。
【００４８】
ここで、本実施の形態では、第３搬送経路Ｒ３から搬入経路Ｒａに至る用紙Ｐの搬送において、搬送されてくる用紙Ｐの用紙第１側端Ｐｓ１および用紙第２側端Ｐｓ２（ともに図２参照）の中央位置を、第３搬送経路Ｒ３および搬入経路Ｒａに対し直線状に設定された搬入方向搬送基準線Ｌａと一致させるようにしている。そして、搬入経路Ｒａにおいて、搬入搬送部３００を構成する第１搬入ロール対３０１〜第６搬入ロール対３０６は、それぞれ、搬入方向搬送基準線Ｌａを跨ぐように配置されている。
【００４９】
また、本実施の形態では、搬入経路Ｒａから反転経路Ｒｂを介して搬出経路Ｒｃに至る用紙Ｐの搬送において、搬送されてくる用紙Ｐの用紙先端Ｐｌおよび用紙後端Ｐｔの中央位置を、搬入経路Ｒａ、反転経路Ｒｂおよび搬出経路Ｒｃに対し直線状に設定された反転方向搬送基準線Ｌｂと一致させるようにしている。そして、搬入経路Ｒａにおいて、上流側反転搬送部４００Ａを構成する上流側第１反転ロール対４０１〜上流側第４反転ロール対４０４は、それぞれ、反転方向搬送基準線Ｌｂを跨ぐように配置されている。さらに、反転経路Ｒｂにおいて、中流側反転搬送部４００Ｂを構成する中流側第１反転ロール対４１１〜中流側第３反転ロール対４１３も、それぞれ、反転方向搬送基準線Ｌｂを跨ぐように配置されている。さらにまた、搬出経路Ｒｃにおいて、下流側反転搬送部４００Ｃを構成する下流側第１反転ロール対４２１〜下流側第４反転ロール対４２４も、それぞれ、反転方向搬送基準線Ｌｂを跨ぐように配置されている。
【００５０】
さらに、本実施の形態では、搬出経路Ｒｃから第４搬送経路Ｒ４に至る用紙Ｐの搬送において、搬送されてくる用紙Ｐの用紙第１側端Ｐｓ１および用紙第２側端Ｐｓ２（ともに図２参照）の中央位置を、第４搬送経路Ｒ４および搬出経路Ｒｃに対し直線状に設定された搬出方向搬送基準線Ｌｃと一致させるようにしている。そして、搬出経路Ｒｃにおいて、搬出搬送部５００を構成する第１搬出ロール対５０１〜第６搬出ロール対５０６は、それぞれ、搬出方向搬送基準線Ｌｃを跨ぐように配置されている。
【００５１】
図１０は、第１の反転装置１００の各搬送部に設けられた搬送ロール対の構成を説明するための図である。ここで、図１０（ａ）は、搬入部２１０に設けられた搬入搬送部３００における第１搬入ロール対３０１の構成の一例を示している。また、図１０（ｂ）は、搬入部２１０に設けられた上流側反転搬送部４００Ａにおける上流側第１反転ロール対４０１の構成の一例を示している。さらに、図１０（ｃ）は、反転部２２０に設けられた中流側反転搬送部４００Ｂにおける中流側第２反転ロール対４１２の構成の一例を示している。さらにまた、図１０（ｄ）は、搬出部２３０に設けられた下流側反転搬送部４００Ｃにおける下流側第４反転ロール対４２４の構成の一例を示している。そして、図１０（ｅ）は、搬出部２３０に設けられた搬出搬送部５００における第１搬出ロール対５０１の構成の一例を示している。
【００５２】
図１０（ａ）に示すように、搬入搬送部３００を構成する第１搬入ロール対３０１は、外部から駆動を受けて回転する搬入主動ロール３００ａと、搬入主動ロール３００ａに対向して配置され、搬入主動ロール３００ａの回転に伴って回転する搬入従動ロール３００ｂとを備えている。また、搬入搬送部３００を構成する第２搬入ロール対３０２〜第６搬入ロール対３０６も、それぞれ、搬入主動ロール３００ａと搬入従動ロール３００ｂとを備えている。そして、本実施の形態では、第１搬入ロール対３０１〜第６搬入ロール対３０６を構成する各搬入主動ロール３００ａが、搬入部２１０（図２参照）において固定側となる第１搬入案内板２１１（図２参照）に取り付けられており、第１搬入ロール対３０１〜第６搬入ロール対３０６を構成する各搬入従動ロール３００ｂが、搬入部２１０において可動側（開閉可能な側）となる第２搬入案内板２１２（図２参照）に取り付けられている。
【００５３】
ここで、搬入主動ロール３００ａは、金属で構成されるとともに搬入経路Ｒａ（図９参照）において受渡方向Ｄａ２に沿って伸びるシャフト３００１ａと、このシャフト３００１ａに取り付けられる２つのゴムロール３００２ａとを備えている。そして、搬入主動ロール３００ａでは、ゴムロール３００２ａが、それぞれ円筒状の形状を有している。
一方、搬入従動ロール３００ｂは、金属で構成されるとともに搬入経路Ｒａ（図９参照）において受渡方向Ｄａ２に沿って伸びるシャフト３００１ｂと、このシャフト３００１ｂに対し、搬入主動ロール３００ａに設けられた２つのゴムロール３００２ａとそれぞれ対向する位置に取り付けられる２つの樹脂ロール３００２ｂとを備えている。そして、搬入従動ロール３００ｂでは、各樹脂ロール３００２ｂにおいて、受渡方向Ｄａ２の下流側となる一端側が円筒状の形状を有する一方、受渡方向Ｄａ２の上流側となる他端側がテーパ状の形状（テーパ部）を有している。
【００５４】
図１０（ｂ）に示すように、上流側反転搬送部４００Ａを構成する上流側第１反転ロール対４０１は、外部から駆動を受けて回転する反転主動ロール４００ａと、反転主動ロール４００ａに対向して配置され、反転主動ロール４００ａの回転に伴って回転する反転従動ロール４００ｂとを備えている。また、上流側反転搬送部４００Ａを構成する上流側第２反転ロール対４０２〜上流側第４反転ロール対４０４も、それぞれ、反転主動ロール４００ａと反転従動ロール４００ｂとを備えている。そして、本実施の形態では、上流側第１反転ロール対４０１〜上流側第４反転ロール対４０４を構成する各反転主動ロール４００ａが、搬入部２１０（図２参照）において固定側となる第１搬入案内板２１１（図２参照）に取り付けられており、上流側第１反転ロール対４０１〜上流側第４反転ロール対４０４を構成する各反転従動ロール４００ｂが、搬入部２１０（図２参照）において可動側（開閉可能な側）となる第２搬入案内板２１２（図２参照）に取り付けられている。
【００５５】
ここで、上流側反転搬送部４００Ａにおける反転主動ロール４００ａは、金属で構成されるとともに搬入経路Ｒａ（図９参照）において搬入方向Ｄａ１に沿って伸びるシャフト４００１ａと、このシャフト４００１ａに取り付けられる２つのゴムロール４００２ａとを備えている。そして、上流側反転搬送部４００Ａにおける反転主動ロール４００ａでは、ゴムロール４００２ａが、それぞれ円筒状の形状を有している。
一方、上流側反転搬送部４００Ａにおける反転従動ロール４００ｂは、金属で構成されるとともに搬入経路Ｒａ（図９参照）において搬入方向Ｄａ１に沿って伸びるシャフト４００１ｂと、このシャフト４００１ｂに対し、反転主動ロール４００ａに設けられた２つのゴムロール４００２ａとそれぞれ対向する位置に取り付けられる２つの樹脂ロール４００２ｂとを備えている。そして、上流側反転搬送部４００Ａにおける反転従動ロール４００ｂでは、各樹脂ロール４００２ｂにおいて、搬入方向Ｄａ１の下流側となる一端側が円筒状の形状を有する一方、搬入方向Ｄａ１の上流側となる他端側がテーパ状の形状（テーパ部）を有している。
なお、上流側第４反転ロール対４０４において、反転主動ロール４００ａでは、１本のシャフト４００１ａに４つのゴムロール４００２ａが取り付けられており、反転従動ロール４００ｂでは、１本のシャフト４００１ｂに４つの樹脂ロール４００２ｂが取り付けられている。
【００５６】
図１０（ｃ）に示すように、中流側反転搬送部４００Ｂを構成する中流側第２反転ロール対４１２は、外部から駆動を受けて回転する反転主動ロール４００ａと、反転主動ロール４００ａに対向して配置され、反転主動ロール４００ａの回転に伴って回転する反転従動ロール４００ｂとを備えている。また、中流側反転搬送部４００Ｂを構成する中流側第１反転ロール対４１１および中流側第３反転ロール対４１３も、それぞれ、反転主動ロール４００ａと反転従動ロール４００ｂとを備えている。そして、本実施の形態では、中流側第１反転ロール対４１１〜中流側第３反転ロール対４１３を構成する各反転主動ロール４００ａが、反転部２２０（図２参照）において固定側となる第１反転案内板２２１（図２参照）に取り付けられており、中流側第１反転ロール対４１１〜中流側第３反転ロール対４１３を構成する各反転従動ロール４００ｂが、反転部２２０（図２参照）において可動側（開閉可能な側）となる第２反転案内板２２２（図２参照）に取り付けられている。
【００５７】
ここで、中流側反転搬送部４００Ｂにおける反転主動ロール４００ａは、金属で構成されるとともに反転経路Ｒｂ（図９参照）において反転方向Ｄｂと交差し且つ搬入方向Ｄａ１および搬出方向Ｄｃ２に沿って伸びるシャフト４００１ａと、このシャフト４００１ａに取り付けられる４つのゴムロール４００２ａとを備える。そして、中流側反転搬送部４００Ｂにおける反転主動ロール４００ａでは、ゴムロール４００２ａが、それぞれ円筒状の形状を有している。
一方、中流側反転搬送部４００Ｂにおける反転従動ロール４００ｂは、金属で構成されるとともに反転経路Ｒｂにおいて反転方向Ｄｂと交差し且つ搬入方向Ｄａ１および搬出方向Ｄｃ２に沿って伸びるシャフト４００１ｂと、このシャフト４００１ｂに対し、反転主動ロール４００ａに設けられた４つのゴムロール４００２ａとそれぞれ対向する位置に取り付けられる４つの樹脂ロール４００２ｂとを備えている。そして、中流側反転搬送部４００Ｂにおける反転従動ロール４００ｂでは、各樹脂ロール４００２ｂが、それぞれ円筒状の形状を有している。
【００５８】
図１０（ｄ）に示すように、下流側反転搬送部４００Ｃを構成する下流側第４反転ロール対４２４は、外部から駆動を受けて回転する反転主動ロール４００ａと、反転主動ロール４００ａに対向して配置され、反転主動ロール４００ａの回転に伴って回転する反転従動ロール４００ｂとを備えている。また、下流側反転搬送部４００Ｃを構成する下流側第１反転ロール対４２１〜下流側第３搬送ロール対４２３も、それぞれ、反転主動ロール４００ａと反転従動ロール４００ｂとを備えている。そして、本実施の形態では、下流側第１反転ロール対４２１〜下流側第４反転ロール対４２４を構成する各反転主動ロール４００ａが、搬出部２３０（図２参照）において固定側となる第１搬出案内板２３１（図２参照）に取り付けられており、下流側第１反転ロール対４２１〜下流側第４反転ロール対４２４を構成する各反転従動ロール４００ｂが、搬出部２３０（図２参照）において可動側（開閉可能な側）となる第２搬出案内板２３２（図２参照）に取り付けられている。
【００５９】
ここで、下流側反転搬送部４００Ｃにおける反転主動ロール４００ａは、金属で構成されるとともに搬出経路Ｒｃ（図９参照）において搬出方向Ｄｃ２に沿って伸びるシャフト４００１ａと、このシャフト４００１ａに取り付けられる２つのゴムロール４００２ａとを備えている。そして、下流側反転搬送部４００Ｃにおける反転主動ロール４００ａでは、ゴムロール４００２ａが、それぞれ円筒状の形状を有している。
一方、下流側反転搬送部４００Ｃにおける反転従動ロール４００ｂは、金属で構成されるとともに搬出経路Ｒｃ（図９参照）において搬出方向Ｄｃ２に沿って伸びるシャフト４００１ｂと、このシャフト４００１ｂに対し、反転主動ロール４００ａに設けられた２つのゴムロール４００２ａとそれぞれ対向する位置に取り付けられる２つの樹脂ロール４００２ｂとを備えている。そして、下流側反転搬送部４００Ｃにおける反転従動ロール４００ｂでは、各樹脂ロール４００２ｂにおいて、搬出方向Ｄｃ２の下流側となる一端側が円筒状の形状を有する一方、搬出方向Ｄｃ２の上流側となる他端側がテーパ状の形状（テーパ部）を有している。
なお、下流側第１反転ロール対４２１において、反転主動ロール４００ａでは、１本のシャフト４００１ａに４つのゴムロール４００２ａが取り付けられており、反転従動ロール４００ｂでは、１本のシャフト４００１ｂに４つの樹脂ロール４００２ｂが取り付けられている。
【００６０】
図１０（ｅ）に示すように、搬出搬送部５００を構成する第１搬出ロール対５０１は、外部から駆動を受けて回転する搬出主動ロール５００ａと、搬出主動ロール５００ａに対向して配置され、搬出主動ロール５００ａの回転に伴って回転する搬出従動ロール５００ｂとを備えている。また、搬出搬送部５００を構成する第２搬出ロール対５０２〜第６搬出ロール対５０６も、それぞれ、搬出主動ロール５００ａと搬出従動ロール５００ｂとを備えている。そして、本実施の形態では、第１搬出ロール対５０１〜第６搬出ロール対５０６を構成する各搬出主動ロール５００ａが、搬出部２３０（図２参照）において固定側となる第１搬出案内板２３１（図２参照）に取り付けられており、第１搬出ロール対５０１〜第６搬出ロール対５０６を構成する各搬出従動ロール５００ｂが、搬出部２３０（図２参照）において可動側（開閉可能な側）となる第２搬出案内板２３２（図２参照）に取り付けられている。
【００６１】
ここで、搬出主動ロール５００ａは、金属で構成されるとともに搬出経路Ｒｃ（図９参照）において受取方向Ｄｃ１に沿って伸びるシャフト５００１ａと、このシャフト５００１ａに取り付けられる２つのゴムロール５００２ａとを備えている。そして、搬出主動ロール５００ａでは、ゴムロール５００２ａが、それぞれ円筒状の形状を有している。
一方、搬出従動ロール５００ｂは、金属で構成されるとともに搬出経路Ｒｃ（図９参照）において受取方向Ｄｃ１に沿って伸びるシャフト５００１ｂと、このシャフト５００１ｂに対し、搬出主動ロール５００ａに設けられた２つのゴムロール５００２ａとそれぞれ対向する位置に取り付けられる２つの樹脂ロール５００２ｂとを備えている。そして、搬出従動ロール５００ｂでは、各樹脂ロール５００２ｂにおいて、受取方向Ｄｃ１の下流側となる一端側が円筒状の形状を有する一方、受取方向Ｄｃ１の上流側となる他端側がテーパ状の形状（テーパ部）を有している。
【００６２】
図１１は、本実施の形態の第１の反転装置１００における各搬送経路と各搬送ロール対との関係を説明するための図である。ここで、図１１（ａ）〜（ｅ）は、図１０（ａ）〜（ｅ）にそれぞれ対応している。すなわち、図１１（ａ）は、搬入部２１０における、搬入経路Ｒａと第１搬入ロール対３０１との関係を示している。また、図１１（ｂ）は、搬入部２１０における、搬入経路Ｒａと上流側第１反転ロール対４０１との関係を示している。さらに、図１１（ｃ）は、反転部２２０における、反転経路Ｒｂと中流側第２反転ロール対４１２との関係を示している。さらにまた、図１１（ｄ）は、搬出部２３０における、搬出経路Ｒｃと下流側第４反転ロール対４２４との関係を示している。そして、図１１（ｅ）は、搬出部２３０における、搬出経路Ｒｃと第１搬出ロール対５０１との関係を示している。
【００６３】
図１１（ａ）に示すように、第１搬入ロール対３０１を構成する搬入主動ロール３００ａおよび搬入従動ロール３００ｂは、互いに接触し且つ離隔することが可能となるように構成されている。そして、第１搬入ロール対３０１を接触させた場合には、搬入主動ロール３００ａおよび搬入従動ロール３００ｂの両者が搬入経路Ｒａに進出した状態となる。これに対し、第１搬入ロール対３０１を離隔させた場合には、搬入主動ロール３００ａが搬入従動ロール３００ｂから遠ざかることで、搬入従動ロール３００ｂは搬入経路Ｒａに進出した状態を維持する一方、搬入主動ロール３００ａは搬入経路Ｒａから退避した状態となる。なお、第１搬入ロール対３０１とともに搬入搬送部３００を構成する第２搬入ロール対３０２〜第６搬入ロール対３０６も、第１搬入ロール対３０１と同じ接離動作を行う。
【００６４】
図１１（ｂ）に示すように、上流側第１反転ロール対４０１を構成する反転主動ロール４００ａおよび反転従動ロール４００ｂは、互いに接触し且つ離隔することが可能となるように構成されている。そして、上流側第１反転ロール対４０１を接触させた場合には、反転主動ロール４００ａおよび反転従動ロール４００ｂの両者が搬入経路Ｒａに進出した状態となる。これに対し、上流側第１反転ロール対４０１を離隔させた場合には、反転主動ロール４００ａが反転従動ロール４００ｂから遠ざかることで、反転従動ロール４００ｂは搬入経路Ｒａに進出した状態を維持する一方、反転主動ロール４００ａは搬入経路Ｒａから退避した状態となる。なお、上流側第１反転ロール対４０１とともに上流側反転搬送部４００Ａを構成する上流側第２反転ロール対４０２〜上流側第４反転ロール対４０４も、上流側第１反転ロール対４０１と同じ接離動作を行う。
【００６５】
図１１（ｃ）に示すように、中流側第２反転ロール対４１２を構成する反転主動ロール４００ａおよび反転従動ロール４００ｂは、常時接触するように構成されている。このとき、反転主動ロール４００ａおよび反転従動ロール４００ｂの両者が反転経路Ｒｂに進出した状態となる。なお、中流側第２反転ロール対４１２とともに中流側反転搬送部４００Ｂを構成する中流側第１反転ロール対４１１および中流側第３反転ロール対４１３も、中流側第２反転ロール対４１２と同様に、常時接触するように構成されている。
【００６６】
図１１（ｄ）に示すように、下流側第４反転ロール対４２４を構成する反転主動ロール４００ａおよび反転従動ロール４００ｂは、互いに接触し且つ離隔することが可能となるように構成されている。そして、下流側第４反転ロール対４２４を接触させた場合には、反転主動ロール４００ａおよび反転従動ロール４００ｂの両者が搬出経路Ｒｃに進出した状態となる。これに対し、下流側第４反転ロール対４２４を離隔させた場合には、反転主動ロール４００ａが反転従動ロール４００ｂから遠ざかることで、反転従動ロール４００ｂは搬出経路Ｒｃに進出した状態を維持する一方、反転主動ロール４００ａは搬出経路Ｒｃから退避した状態となる。なお、下流側第４反転ロール対４２４とともに下流側反転搬送部４００Ｃを構成する下流側第１反転ロール対４２１〜下流側第３反転ロール対４２３も、下流側第４反転ロール対４２４と同じ接離動作を行う。
【００６７】
図１１（ｅ）に示すように、第１搬出ロール対５０１を構成する搬出主動ロール５００ａおよび搬出従動ロール５００ｂは、互いに接触し且つ離隔することが可能となるように構成されている。そして、第１搬出ロール対５０１を接触させた場合には搬出主動ロール５００ａおよび搬出従動ロール５００ｂの両者が搬出経路Ｒｃに進出した状態となる。これに対し、第１搬出ロール対５０１を離隔させた場合には、搬出主動ロール５００ａが搬出従動ロール５００ｂから遠ざかることで、搬出従動ロール５００ｂは搬出経路Ｒｃに進出した状態を維持する一方、搬出主動ロール５００ａは搬出経路Ｒｃから退避した状態となる。なお、第１搬出ロール対５０１とともに搬出搬送部５００を構成する第２搬出ロール対５０２〜第６搬出ロール対５０６も、第１搬出ロール対５０１と同じ接離動作を行う。
【００６８】
図１２は、上流側第１反転ロール対４０１を進退させる進退機構６００および上流側第１反転ロール対４０１を回転させる回転機構７００の構成の一例を示す図である。ここで、図１２（ａ）は、接触状態に設定された上流側第１反転ロール対４０１および進退機構６００を、搬入方向Ｄａ１の下流側から眺めた図である。また、図１２（ｂ）は、離隔状態に設定された上流側第１反転ロール対４０１および進退機構６００を、搬入方向Ｄａ１の下流側から眺めた図である。さらに、図１２（ｃ）は、離隔状態に設定された上流側第１反転ロール対４０１、進退機構６００および回転機構７００を、受渡方向Ｄａ２の下流側から眺めた図である。さらにまた、図１２（ｄ）は、回転機構７００を搬入方向Ｄａ１の下流側から眺めた図である。
【００６９】
本実施の形態の進退機構６００は、上流側第１反転ロール対４０１における反転主動ロール４００ａを反転従動ロール４００ｂに対し進退させるための駆動源の一例としての進退用モータ６０１と、進退用モータ６０１の回転軸に取り付けられるギアを含むギア列６０２と、ギア列６０２を構成する１つのギアに固定して取り付けられる主動側カム用シャフト６０３と、主動側カム用シャフト６０３に対し軸方向に２箇所に取り付けられる回転部材の一例としての主動側カム６０４とを備える。また、進退機構６００は、反転主動ロール４００ａのシャフト４００１ａに対し、主動側カム用シャフト６０３に設けられた２つの主動側カム６０４と対向する位置にそれぞれ取り付けられたボールベアリング６０５と、反転主動ロール４００ａのシャフト４００１ａの両端にそれぞれ取り付けられ、反転主動ロール４００ａを回転可能に支持する主動側軸受６０６と、２つの主動側軸受６０６のそれぞれに対応して、第１搬入案内板２１１のうち搬入経路Ｒａを形成する面とは反対側となる面に固定して取り付けられ、主動側軸受６０６を介して反転主動ロール４００ａを搬入経路Ｒａに近づく側および搬入経路Ｒａから遠ざかる側に移動可能に支持する主動側軸受ガイド６０７とを備える。さらに、進退機構６００は、上流側第１反転ロール対４０１における反転従動ロール４００ｂのシャフト４００１ｂの両端にそれぞれ取り付けられ、反転従動ロール４００ｂを回転可能に支持する従動側軸受６１１と、２つの従動側軸受６１１のそれぞれに対応して、第２搬入案内板２１２のうち搬入経路Ｒａを形成する面とは反対側となる面に固定して取り付けられ、反転従動ロール４００ｂを搬入経路Ｒａに近づく側および搬入経路Ｒａから遠ざかる側に移動可能に支持する従動側軸受ガイド６１２と、両端が第２搬入案内板２１２のうち搬入経路Ｒａを形成する面とは反対側となる面に固定して取り付けられ、中央部が従動側軸受６１１のうち従動側軸受ガイド６１２にて支持される部位よりも外側となる部位に接触して配置されるスプリング６１３とを備える。
【００７０】
一方、本実施の形態の回転機構７００は、上流側第１反転ロール対４０１において反転主動ロール４００ａを回転させるための回転用モータ７０１と、回転用モータ７０１の回転軸に取り付けられるモータ側プーリ７０２と、反転主動ロール４００ａにおけるシャフト４００１ａの一端側に固定して取り付けられるロール側プーリ７０３と、無端状の形状を有し、モータ側プーリ７０２とロール側プーリ７０３とに掛け渡されるタイミングベルト７０４とを備える。
【００７１】
先ず、離隔状態にある上流側第１反転ロール対４０１を接触状態に移行させる動作（以下では接触動作と呼ぶ）について説明する。なお、接触動作における初期状態では、進退用モータ６０１が駆動を停止しており、上流側第１反転ロール対４０１、進退機構６００が、図１２（ｂ）、（ｃ）に示す位置関係におかれ、回転機構７００が図１２（ｄ）において実線で示す状態におかれている。また、接触動作における初期状態において、回転用モータ７０１は駆動を停止しており、上流側第１反転ロール対４０１を構成する反転主動ロール４００ａおよび反転従動ロール４００ｂは、ともに回転を停止している。このとき、反転従動ロール４００ｂに設けられた各樹脂ロール４００２ｂは搬入経路Ｒａに進出し且つ搬入経路Ｒａを塞がない位置におかれ、反転主動ロール４００ａに設けられた各ゴムロール４００２ａは搬入経路Ｒａから退避した位置におかれる。
【００７２】
接触動作の開始に伴い、回転用モータ７０１が回転を開始する。すると、回転用モータ７０１の回転に伴い、モータ側プーリ７０２、タイミングベルト７０４およびロール側プーリ７０３を介して、上流側第１反転ロール対４０１の反転主動ロール４００ａが回転を開始する。なお、このとき、反転主動ロール４００ａおよび反転従動ロール４００ｂは非接触となっているため、反転従動ロール４００ｂは回転を停止したままとなっている。
【００７３】
次に、進退用モータ６０１が回転を開始する。すると、進退用モータ６０１の回転に伴い、ギア列６０２および主動側カム用シャフト６０３を介して各主動側カム６０４が回転を開始する。そして、進退用モータ６０１は、各主動側カム６０４が図１２（ｂ）に示す状態から半回転し、図１２（ａ）に示す状態となったときに回転を停止する。このような各主動側カム６０４の回転に伴い、各ボールベアリング６０５は、各主動側カム６０４のカム面によって、搬入経路Ｒａに近づく側へと押し上げられる。その結果、各主動側カム６０４が取り付けられたシャフト４００１ａを含む反転主動ロール４００ａは、搬入経路Ｒａを挟んで対向する反転従動ロール４００ｂに近づいていき、搬入経路Ｒａ内に進出した後、搬入経路Ｒａ内において、反転主動ロール４００ａに設けられた各ゴムロール４００２ａと、反転従動ロール４００ｂに設けられた各樹脂ロール４００２ｂとが、互いに接触する。なお、このとき搬入経路Ｒａに用紙Ｐが存在している場合には、用紙Ｐを介して、反転主動ロール４００ａと反転従動ロール４００ｂとが接触することになる。
【００７４】
反転従動ロール４００ｂに反転主動ロール４００ａが接触することに伴い、反転従動ロール４００ｂは、搬入経路Ｒａから遠ざかる側に向かう力を、反転主動ロール４００ａより受ける。その結果、反転従動ロール４００ｂは、搬入経路Ｒａから遠ざかる側に移動しようとする。ここで、本実施の形態では、反転従動ロール４００ｂのシャフト４００１ｂの両端に取り付けられた従動側軸受６１１が、第２搬入案内板２１２に取り付けられたスプリング６１３を介して、搬入経路Ｒａに近づく側に向かう力を受けている。このため、反転従動ロール４００ｂは、各従動側軸受６１１および各従動側軸受ガイド６１２によって第２搬入案内板２１２に支持された状態を維持しつつ、反転主動ロール４００ａによる押し付け力とスプリング６１３による押し付け力とが均衡した位置で静止する。
【００７５】
一方、反転従動ロール４００ｂに反転主動ロール４００ａが接触することに伴い、反転従動ロール４００ｂは、反転主動ロール４００ａからの駆動力を受けて回転を開始する。このとき、反転主動ロール４００ａと反転従動ロール４００ｂとの接触位置は、搬入経路Ｒａの内側にある。なお、離隔状態から接触状態に移行する際に、回転用モータ７０１およびモータ側プーリ７０２に対し、ロール側プーリ７０３が、図１２（ｄ）において図中に実線で示す位置から図中に破線で示す位置へと移動する。このとき、回転用モータ７０１に取り付けられるモータ側プーリ７０２と反転主動ロール４００ａ側に取り付けられるロール側プーリ７０３との間の位置変動は、タイミングベルト７０４にて吸収されることになり、位置変動に関わらず反転主動ロール４００ａの回転駆動が続行される。
【００７６】
続いて、接触状態にある上流側第１反転ロール対４０１を離隔状態に移行させる動作（以下では離隔動作と呼ぶ）について説明する。なお、離隔動作における初期状態では、進退用モータ６０１が駆動を停止しており、上流側第１反転ロール対４０１、進退機構６００が、図１２（ａ）に示す位置関係におかれ、回転機構７００が図１２（ｄ）において破線で示す状態におかれている。また、離隔動作における初期状態において、回転用モータ７０１は駆動を続行しており、上流側第１反転ロール対４０１を構成する反転主動ロール４００ａおよび反転従動ロール４００ｂは、ともに回転を続行している。このとき、反転主動ロール４００ａに設けられた各ゴムロール４００２ａ、および、反転従動ロール４００ｂに設けられた各樹脂ロール４００２ｂは、搬入経路Ｒａに進出した位置におかれる。
【００７７】
離隔動作の開始に伴い、回転用モータ７０１が回転を停止する。すると、回転用モータ７０１が回転を停止することに伴い、モータ側プーリ７０２、タイミングベルト７０４、ロール側プーリ７０３とともに、反転主動ロール４００ａが回転を停止する。また、反転主動ロール４００ａが回転を停止するのに伴い、反転主動ロール４００ａに接触する反転従動ロール４００ｂも回転を停止する。なお、このとき搬入経路Ｒａに用紙Ｐが存在している場合には、反転主動ロール４００ａおよび反転従動ロール４００ｂに挟まれた用紙Ｐの搬送も停止される。
【００７８】
続いて、進退用モータ６０１が回転を開始する。すると、進退用モータ６０１の回転に伴い、ギア列６０２および主動側カム用シャフト６０３を介して各主動側カム６０４が回転を開始する。そして、進退用モータ６０１は、各主動側カム６０４が図１２（ａ）に示す状態から半回転し、図１２（ｂ）に示す状態となったときに回転を停止する。このような各主動側カム６０４の回転に伴い、各ボールベアリング６０５は、各主動側カム６０４のカム面によって、搬入経路Ｒａから遠ざかる側へと押し下げられる。その結果、各主動側カム６０４が取り付けられたシャフト４００１ａを含む反転主動ロール４００ａは、搬入経路Ｒａを挟んで対向し且つ接触する反転従動ロール４００ｂから遠ざかっていき、搬入経路Ｒａ内において、反転主動ロール４００ａに設けられた各ゴムロール４００２ａが、反転従動ロール４００ｂに設けられた各樹脂ロール４００２ｂから離隔し、さらに搬入経路Ｒａからも退避する。
【００７９】
反転従動ロール４００ｂから反転主動ロール４００ａが離隔することに伴い、反転従動ロール４００ｂは、搬入経路Ｒａから遠ざかる側に向かう力を、反転主動ロール４００ａより受けなくなる一方で、スプリング６１３および従動側軸受ガイド６１２を介して、搬入経路Ｒａに近づく側に向かう力を受け続ける。その結果、反転従動ロール４００ｂは、搬入経路Ｒａに近づく側に移動しようとする。ここで、本実施の形態では、反転従動ロール４００ｂのシャフト４００１ｂの両端に取り付けられた従動側軸受６１１の、搬入経路Ｒａ側に向かう移動が、それぞれに対応して設けられた従動側軸受ガイド６１２によって規制されている。このため、反転従動ロール４００ｂは、各従動側軸受６１１および各従動側軸受ガイド６１２によって第２搬入案内板２１２に支持された状態を維持しつつ、スプリング６１３による押し付け力により各従動側軸受ガイド６１２の搬入経路Ｒａ側の端部に突き当たった位置で静止する。このとき、反転従動ロール４００ｂに設けられた各樹脂ロール４００２ｂは、搬入経路Ｒａに進出した状態を維持しつつ、搬入経路Ｒａを塞がない位置におかれる。
【００８０】
なお、ここでは、上流側第１反転ロール対４０１を例として説明を行ったが、上流側第１反転ロール対４０１とともに上流側反転搬送部４００Ａを構成する上流側第２反転ロール対４０２〜上流側第４反転ロール対４０４にも、進退機構６００および回転機構７００が設けられている。また、搬入搬送部３００を構成する第１搬入ロール対３０１〜第６搬入ロール対３０６、下流側反転搬送部４００Ｃを構成する下流側第１反転ロール対４２１〜下流側第４反転ロール対４２４、そして搬出搬送部５００を構成する第１搬出ロール対５０１〜第６搬出ロール対５０６にも、進退機構６００および回転機構７００が設けられている。一方、中流側反転搬送部４００Ｂを構成する中流側第１反転ロール対４１１〜中流側第３反転ロール対４１３については、これらを回転駆動するための回転機構７００が設けられているものの、これらを進退駆動するための進退機構６００は設けられていない。
【００８１】
次に、本実施の形態の第１の反転装置１００による用紙Ｐの反転搬送動作について説明する。ここで、図１３は、第１の反転装置１００を通過する用紙Ｐの挙動を説明するための図である。なお、図１３には、用紙Ｐとして、大きさが異なる第１用紙Ｐ１と第２用紙Ｐ２とを例示している。そして、図１３では、第１用紙Ｐ１がＪＩＳＡ３サイズ縦送り（ＳＥＦ：Short End Feed）の場合を、第２用紙Ｐ２がＪＩＳＡ４サイズ横送り（ＬＥＦ：Long End Feed）の場合を、それぞれ示している。
【００８２】
なお、初期状態では、搬入搬送部３００を構成する第１搬入ロール対３０１〜第６搬入ロール対３０６は、離隔状態且つ回転停止状態に設定される。また、上流側反転搬送部４００Ａを構成する上流側第１反転ロール対４０１〜上流側第４反転ロール対４０４が、離隔状態且つ回転停止状態に設定される。さらに、中流側反転搬送部４００Ｂを構成する中流側第１反転ロール対４１１〜中流側第３反転ロール対４１３が、回転停止状態に設定される。さらにまた、下流側反転搬送部４００Ｃを構成する下流側第１反転ロール対４２１〜下流側第４反転ロール対４２４が、離隔状態且つ回転停止状態に設定される。そして、搬出搬送部５００を構成する第１搬出ロール対５０１〜第６搬出ロール対５０６が、離隔状態且つ回転停止状態に設定される。
【００８３】
例えば用紙Ｐの両面に画像を形成する場合、第１搬送経路Ｒ１内を搬送され、各画像形成ユニット１０、二次転写装置３０および定着装置５０によって一方の面に画像が形成された用紙Ｐは、第２搬送経路Ｒ２を介して第３搬送経路Ｒ３に搬送される。第３搬送経路Ｒ３において、用紙Ｐは、用紙先端Ｐｌを先頭とし、他方の面が上方を向いた状態で搬送されてくる。この他方の面が用紙表面Ｐｆとなる。このとき、制御部８０は、ＵＩ９０等によって入力された用紙Ｐの、用紙第１側端Ｐｓ１から用紙第２側端Ｐｓ２に至る長さ（以下では用紙幅と称する）に基づき、用紙Ｐにおける用紙幅の中央位置が、搬入方向搬送基準線Ｌａと重なるように、用紙Ｐを搬送させる。
【００８４】
次に、第３搬送経路Ｒ３において、用紙検知センサ６０により用紙Ｐの用紙先端Ｐｌの通過が検知された結果に基づき、制御部８０は、搬入搬送部３００の回転動作および接触動作を開始させる。これに伴い、搬入経路Ｒａでは、搬入搬送部３００が、接触状態に設定されるとともに回転を開始する。
【００８５】
続いて、用紙Ｐが、第３搬送経路Ｒ３内から搬入経路Ｒａ内へと、搬入方向Ｄａ１に沿って移動する。このとき、搬入経路Ｒａでは、搬入搬送部３００が、接触状態に設定されるとともに回転している。一方、このとき、搬入経路Ｒａでは、上流側反転搬送部４００Ａが、離隔状態に設定されるとともに回転を停止している。したがって、第３搬送経路Ｒ３から搬入経路Ｒａ内に進入してきた用紙Ｐは、搬入搬送部３００により挟まれつつ、用紙先端Ｐｌを先頭とし、用紙表面Ｐｆが上方を向いた状態で、搬入方向Ｄａ１に沿って移動していく。ここで、本実施の形態では、離隔状態に設定された上流側反転搬送部４００Ａにおける各反転従動ロール４００ｂが、搬入経路Ｒａに進出したままとなっている（図１１（ｂ）参照）が、各反転従動ロール４００ｂに設けられた樹脂ロール４００２ｂがテーパ状の形状を有している（図１０（ｂ）参照）ため、各反転従動ロール４００ｂが、用紙Ｐを搬入方向Ｄａ１に沿って搬送する際の妨げとはなりにくい。
【００８６】
それから、用紙Ｐが、搬入経路Ｒａ内で停止する。このとき、制御部８０は、用紙検知センサ６０によって用紙Ｐの用紙先端Ｐｌの通過が検知されてからの経過時間と、ＵＩ９０等によって入力された、用紙Ｐの用紙先端Ｐｌから用紙後端Ｐｔに至る長さ（以下では用紙長と称する）とに基づき、用紙Ｐにおける用紙長の中央位置が、反転方向搬送基準線Ｌｂに到達するタイミングで、搬入搬送部３００の回転動作を停止させ、さらに搬入搬送部３００の離隔動作を開始させる。これに伴い、搬入経路Ｒａ内の用紙Ｐには、上流側反転搬送部４００Ａを構成する各反転主動ロール４００ａに加え、搬入搬送部３００を構成する各搬入主動ロール３００ａも接触しなくなる。その結果、搬入経路Ｒａ内の用紙Ｐは、用紙第１側端Ｐｓ１が反転経路Ｒｂに対向し、用紙表面Ｐｆが上方を向いた状態で停止する。このとき、搬入経路Ｒａ内で停止する用紙Ｐは、その大きさおよび向きに関わらず、その用紙幅の中央位置が搬入方向搬送基準線Ｌａと重なった状態となり、且つ、その用紙長の中央位置が反転方向搬送基準線Ｌｂと重なった状態となる。
【００８７】
次に、用紙Ｐが、搬入経路Ｒａ内を、受渡方向Ｄａ２に沿って移動する。このとき、制御部８０は、搬入経路Ｒａ内で用紙Ｐを停止させた後、上流側反転搬送部４００Ａの回転動作および接触動作を開始させる。これに伴い、搬入経路Ｒａでは、上流側反転搬送部４００Ａが、接触状態に設定されるとともに回転を開始する。一方、このとき、搬入経路Ｒａでは、搬入搬送部３００が、離隔状態に設定されるとともに回転を停止している。したがって、搬入経路Ｒａ内で停止していた用紙Ｐは、上流側反転搬送部４００Ａにより挟まれつつ、用紙第１側端Ｐｓ１を先頭とし、用紙表面Ｐｆが上方を向いた状態で、受渡方向Ｄａ２に沿って移動していく。ここで、本実施の形態では、離隔状態に設定された搬入搬送部３００における各搬入従動ロール３００ｂが、搬入経路Ｒａに進出したままとなっている（図１１（ａ）参照）が、各搬入従動ロール３００ｂに設けられた樹脂ロール３００２ｂがテーパ状の形状を有している（図１０（ａ）参照）ため、各搬入従動ロール３００ｂが、用紙Ｐを受渡方向Ｄａ２に沿って搬送する際の妨げとはなりにくい。
【００８８】
なお、この例では、制御部８０が、上流側反転搬送部４００Ａの回転動作および接触動作を開始させるのに連動して、中流側反転搬送部４００Ｂの回転動作と、下流側反転搬送部４００Ｃの回転動作および接触動作とを開始させる。これに伴い、反転経路Ｒｂでは、中流側反転搬送部４００Ｂが回転を開始する。また、これに伴い、搬出経路Ｒｃでは、下流側反転搬送部４００Ｃが、接触状態に設定されるとともに回転を開始する。
【００８９】
これに続いて、用紙Ｐが搬入経路Ｒａ内から反転経路Ｒｂ内へ、さらに、反転経路Ｒｂから搬出経路Ｒｃへと、受渡方向Ｄａ２、反転方向Ｄｂおよび受取方向Ｄｃ１に沿って移動する。このとき、搬入経路Ｒａでは、上流側反転搬送部４００Ａが、接触状態に設定されるとともに回転している。また、このとき、反転経路Ｒｂでは、中流側反転搬送部４００Ｂが回転している。さらに、このとき、搬出経路Ｒｃでは、下流側反転搬送部４００Ｃが、接触状態に設定されるとともに回転している。一方、このとき、搬出経路Ｒｃでは、搬出搬送部５００が、離隔状態に設定されるとともに回転を停止している。したがって、搬入経路Ｒａから反転経路Ｒｂに進入してきた用紙Ｐは、上流側反転搬送部４００Ａおよび中流側反転搬送部４００Ｂにより挟まれつつ、用紙第１側端Ｐｓ１を先頭とし、用紙表面Ｐｆが上方を向いた状態で、先頭側が反転方向Ｄｂに沿い且つ後端側が受渡方向Ｄａ２に沿って移動していく。それから、反転経路Ｒｂに進入してきた用紙Ｐは、中流側反転搬送部４００Ｂにより挟まれつつ、用紙第１側端Ｐｓ１を先頭とし、用紙表面Ｐｆが上方を向いた状態から用紙裏面Ｐｂが上方を向いた状態へと移行しつつ、反転方向Ｄｂに沿って移動していく。その後、反転経路Ｒｂから搬出経路Ｒｃに進入してきた用紙Ｐは、下流側反転搬送部４００Ｃおよび中流側反転搬送部４００Ｂにより挟まれつつ、用紙第１側端Ｐｓ１を先頭とし、用紙裏面Ｐｂが上方を向いた状態で、先頭側が受取方向Ｄｃ１に沿い且つ後端側が反転方向Ｄｂに沿って移動していく。搬入経路Ｒａから反転経路Ｒｂを介して搬出経路Ｒｃに至る間、用紙Ｐは、その用紙長の中央位置が、反転方向搬送基準線Ｌｂと重なるように搬送されていく。ここで、本実施の形態では、離隔状態に設定された搬出搬送部５００における各搬出従動ロール５００ｂが、搬出経路Ｒｃに進出したままとなっている（図１１（ｅ）参照）が、各搬出従動ロール５００ｂに設けられた樹脂ロール５００２ｂがテーパ状の形状を有している（図１０（ｅ）参照）ため、各搬出従動ロール５００ｂが、用紙Ｐを受取方向Ｄｃ１に沿って搬送する際の妨げとはなりにくい。
【００９０】
それから、用紙Ｐが、搬出経路Ｒｃ内で停止する。このとき、制御部８０は、例えば上流側反転搬送部４００Ａによる用紙Ｐの搬送を開始してからの経過時間に基づき、用紙Ｐにおける用紙幅の中央位置が、搬出方向搬送基準線Ｌｃに到達するタイミングで、下流側反転搬送部４００Ｃの回転動作を停止させ、さらに下流側反転搬送部４００Ｃの離隔動作を開始させる。これに伴い、搬出経路Ｒｃ内の用紙Ｐには、搬出搬送部５００を構成する各搬出主動ロール５００ａに加え、下流側反転搬送部４００Ｃを構成する各反転主動ロール４００ａも接触しなくなる。その結果、搬出経路Ｒｃ内の用紙Ｐは、用紙先端Ｐｌが第４搬送経路Ｒ４に対向し、用紙裏面Ｐｂが上方を向いた状態で停止する。このとき、搬出経路Ｒｃ内の用紙Ｐは、その大きさおよび向きに関わらず、その用紙長の中央位置が反転方向搬送基準線Ｌｂと重なった状態となり、且つ、その用紙幅の中央位置が搬出方向搬送基準線Ｌｃと重なった状態となる。
【００９１】
ここで、本実施の形態では、搬送される用紙Ｐの大きさとは無関係に、搬入経路Ｒａにおける搬入方向搬送基準線Ｌａから、反転経路Ｒｂを介して、搬出経路Ｒｃにおける搬出方向搬送基準線Ｌｃに至る距離が決まる。したがって、搬入経路Ｒａから反転経路Ｒｂを介して搬出経路Ｒｃに用紙Ｐを搬送する期間は、用紙Ｐの搬送速度が一定である場合、用紙Ｐの大きさに関わらず一定となる。
【００９２】
なお、この例では、制御部８０が、下流側反転搬送部４００Ｃの回転停止動作および離隔動作を開始させるのに連動して、上流側反転搬送部４００Ａの回転停止動作および離隔動作と、中流側反転搬送部４００Ｂの回転停止動作とを開始させる。これに伴い、搬入経路Ｒａでは、上流側反転搬送部４００Ａが離隔状態に設定されるとともに回転を停止し、反転経路Ｒｂでは、中流側反転搬送部４００Ｂが回転を停止する。
【００９３】
次に、用紙Ｐが、搬出経路Ｒｃ内を、搬出方向Ｄｃ２に沿って移動する。このとき、制御部８０は、搬出経路Ｒｃ内で用紙Ｐを停止させた後、搬出搬送部５００の回転動作および接触動作を開始させる。これに伴い、搬出経路Ｒｃでは、搬出搬送部５００が、接触状態に設定されるとともに回転を開始する。一方、このとき、搬出経路Ｒｃでは、下流側反転搬送部４００Ｃが、離隔状態に設定されるとともに回転を停止している。したがって、搬出経路Ｒｃ内で停止していた用紙Ｐは、搬出搬送部５００により挟まれつつ、用紙先端Ｐｌを先頭とし、用紙裏面Ｐｂが上方を向いた状態で、搬出方向Ｄｃ２に沿って移動していく。その後、用紙Ｐは、搬出経路Ｒｃから第４搬送経路Ｒ４に搬出される。ここで、本実施の形態では、離隔状態に設定された下流側反転搬送部４００Ｃにおける各反転従動ロール４００ｂが、搬出経路Ｒｃに進出したままとなっている（図１１（ｄ）参照）が、各反転従動ロール４００ｂに設けられた樹脂ロール４００２ｂがテーパ状の形状を有している（図１０（ｄ）参照）ため、各反転従動ロール４００ｂが、用紙Ｐを搬出方向Ｄｃ２に沿って搬送する際の妨げとはなりにくい。
【００９４】
そして、制御部８０は、搬出経路Ｒｃから用紙Ｐが搬出された後のタイミングで、搬出搬送部５００の回転動作を停止させ、さらに搬出搬送部５００の離隔動作を開始させる。これに伴い、搬出経路Ｒｃでは、下流側反転搬送部４００Ｃおよび搬出搬送部５００の両者が、ともに離隔状態となる。
その後、第１の反転装置１００によって表裏が反転された用紙Ｐは、第４搬送経路Ｒ４から第１搬送経路Ｒ１を介して、再び各画像形成ユニット１０および定着装置５０に向けて搬送されていくことになる。
【００９５】
本実施の形態において、第１の反転装置１００の搬入経路Ｒａおよび搬出経路Ｒｃの両者にて、各経路から各主動ロール（搬入主動ロール３００ａ、反転主動ロール４００ａ、搬出主動ロール５００ａ）を退避させているのは、次の理由による。
まず、主動ロールは、外部から回転駆動を受けることがあるため、搬送に供しない主動ロールが経路内に残っている場合には、搬送に供しない主動ロールが、搬送に供する他の主動ロールによる用紙Ｐの搬送の妨げとなる懸念がある。また、本実施の形態では、各主動ロールが、各従動ロールを構成する樹脂ロールよりも高い摩擦係数を有するゴムロールを備えていることから、搬送に供しない主動ロールが経路内に残っている場合には、搬送に供しない主動ロールが、搬送に供する他の主動ロールによる用紙Ｐの搬送の妨げとなる懸念がある。そこで、本実施の形態では、各経路において、樹脂ロールを備える各従動ロールを各経路に残す一方、ゴムロールを供える各主動ロールを各経路から退避させる構成を採用した。
【００９６】
次に、第２の反転装置１１０の詳細について説明する。
第２の反転装置１１０は、第２搬送経路Ｒ２と交差する方向に伸びる反転経路Ｈ１と、用紙Ｐを第２搬送経路Ｒ２から反転経路Ｈ１へ導入する導入経路Ｄ１と、用紙Ｐを反転経路Ｈ１から第２搬送経路Ｒ２へ導出する導出経路Ｄ２と、を有している。反転経路Ｈ１は、第３搬送経路Ｒ３と連続するように形成されている。そして、第２の反転装置１１０は、反転経路Ｈ１上に、両方向に回転可能な複数（この実施例では２つ）の反転用搬送ロール１１１を備えている。反転用搬送ロール１１１は、用紙Ｐを反転させるべく導入経路Ｄ１を介して第２搬送経路Ｒ２から反転経路Ｈ１へ導入するときには一方の回転方向に回転し、導出経路Ｄ２を介して反転経路Ｈ１から第２搬送経路Ｒ２へ用紙Ｐを導出するときには他方の回転方向に回転する。
【００９７】
第２の反転装置１１０は、導入経路Ｄ１の第２搬送経路Ｒ２への接続部位に、定着装置５０側から搬送される用紙Ｐを、そのまま第２搬送経路Ｒ２を通過させるか、あるいは導入経路Ｄ１を介して反転経路Ｈ１へ導くかを切り替える第１のゲート１１２を備えている。また、第２の反転装置１１０は、導入経路Ｄ１と導出経路Ｄ２との接続部位に、導入経路Ｄ１を通過してきた用紙Ｐを反転経路Ｈ１へ案内するか、あるいは反転経路Ｈ１から導出経路Ｄ２を介して第２搬送経路Ｒ２へ案内するかを切り替える第２のゲート１１３を備えている。
このように構成された第２の反転装置１１０においては、制御部８０が、反転用搬送ロール１１１の駆動、第１のゲート１１２、第２のゲート１１３の位置を制御することで、用紙Ｐを用紙搬送方向の先端と後端とが入れ替わるように表裏を反転することや、第２搬送経路Ｒ２の通過を制御する。
【００９８】
次に、突き当て部材４３の周辺の構成について説明する。
図１４は、図１にて示した突き当て部材４３の周辺の構成を説明するための図である。なお、図１４（ａ）は図１で見た場合の上方から見た図であり、図１４（ｂ）は図１で見た場合の手前側から見た図である。
本実施の形態に係る画像形成装置１は、図１では省略しているが、第２搬送ロール４５と第３搬送ロール４６との間に、突き当て部材４３を用紙Ｐの搬送方向に沿って（第１搬送経路Ｒ１に沿って）移動させる移動機構８００を備えている。
【００９９】
移動機構８００は、不図示のモータにより回転駆動する駆動ロール８０２と、この駆動ロール８０２から駆動力を受け循環移動する無端状のベルト８０４と、駆動ロール８０２よりも用紙Ｐの搬送方向上流側に設けられベルト８０４に張力を付与するとともに内側からベルト８０４を支持する支持ロール８０６と、を備えている。なお、本実施の形態では、駆動ロール８０２が支持ロール８０６よりも用紙Ｐの搬送方向下流側に設けられている。この場合、ベルト８０４のうちの第１搬送経路Ｒ１側に位置する部位に対して張力が付与されるようになり、ベルト８０４のうちの用紙Ｐと接触する部分に弛みなどが生じることが抑制される。また、移動機構８００は、第３搬送ロール４６の搬送方向下流側であって支持ロール８０６の搬送方向上流側に、用紙Ｐの先端を検知するスキュー用センサ８０７を備えている。
【０１００】
駆動ロール８０２の両端部、および、支持ロール８０６の両端部には、ベルト８０４の幅方向（用紙Ｐの搬送方向と直交する方向）へのベルト８０４の移動を規制する鍔部８０８がそれぞれ設けられている。なお図１４（ｂ）では鍔部８０８の図示を省略している。また、本実施の形態では、突き当て部材４３は、ベルト８０４の外周面に対して固定され且つこの外周面から突出するように設けられている。さらに、突き当て部材４３は、図１４（ａ）に示すように複数設けられており、用紙Ｐの搬送方向と直交する方向（ベルト８０４の幅方向）に、予め定められた間隔をおいて並んだ状態で配置されている。
【０１０１】
移動機構８００は、ベルト８０４を介して駆動ロール８０２に押し付けられるとともにベルト８０４から駆動力を受けて回転する回転ロール８１０を備えている。この回転ロール８１０は、用紙Ｐの搬送方向と直交する方向に沿って設けられた回転軸８１２と、回転軸８１２により回転するとともに外周面が用紙Ｐに接触する円筒状の接触部材８１４とにより形成されている。この接触部材８１４は、図１４（ａ）に示すように、複数設けられている。また接触部材８１４の各々は、用紙Ｐの搬送方向と直交する方向において互いに異なる位置に配置されるとともに、用紙Ｐの搬送方向と直交する方向において並んだ状態で設けられている。また本実施の形態では、互いに隣接する接触部材８１４の間に間隙Ｓ１が形成されている。
【０１０２】
ここで、突き当て部材４３は、移動機構８００によって用紙Ｐの搬送方向下流側に向かって移動する。また本実施形態では、ベルト８０４の移動速度（周速）よりも、第３搬送ロール４６（図１参照）による用紙Ｐの搬送速度の方が大きくなるように、ベルト８０４の移動速度および第３搬送ロール４６による用紙Ｐの搬送速度が設定されている。このため、第３搬送ロール４６によって用紙Ｐが搬送されてくると、用紙Ｐが突き当て部材４３に次第に接近し、その後、用紙Ｐの先端が突き当て部材４３に突き当たる。これにより用紙Ｐのスキューが補正されるようになる。
【０１０３】
図１５は、突き当て部材４３および移動機構８００の作用を示す図である。
本実施の形態に係る画像形成装置１においては、図１５（ａ）に示すように、先ず、第３搬送ロール４６によって用紙Ｐが上流側から搬送されてくる。次いで、スキュー用センサ８０７により用紙Ｐの先端が検知されることで、駆動ロール８０２の回転駆動が開始され、突き当て部材４３の移動が開始される。その後、図１５（ｂ）、（ｃ）に示すように、用紙Ｐの先端が突き当て部材４３に突き当たるとともに、この状態のまま、用紙Ｐの搬送が継続される。これにより、用紙Ｐの搬送方向と直交する方向に用紙Ｐの先端が沿うようになり、用紙Ｐのスキューが補正される。
【０１０４】
その後、図１５（ｄ）に示すように、突き当て部材４３が回転ロール８１０を超える箇所まで到達するとともに、用紙Ｐが回転ロール８１０およびベルト８０４によって保持（ニップ）され、回転ロール８１０およびベルト８０４による用紙Ｐの搬送が開始される。また、回転ロール８１０およびベルト８０４による用紙Ｐの搬送が開始された後、図１５（ｄ）に示すように、突き当て部材４３が第１搬送経路Ｒ１から退避し用紙Ｐの先端から突き当て部材４３から離間する。本実施の形態では、回転ロール８１０およびベルト８０４によって用紙Ｐが保持（ニップ）されるまで、用紙Ｐの先端部が突き当て部材４３に押し付けられている。
【０１０５】
なお、本実施の形態では、回転ロール８１０およびベルト８０４によって用紙Ｐが保持された後、図１５（ｄ）に示すように、第３搬送ロール４６を構成している一対のロール状部材のうちの一方のロール状部材を他方のロール状部材から離間させる。なお、回転ロール８１０およびベルト８０４により用紙Ｐが保持されたか否かは、回転ロール８１０の下流側に設けられたセンサ（不図示）を用いて用紙Ｐの先端部を検知することで判断する。
【０１０６】
その後、本実施の形態では、図１５（ｅ）、（ｆ）に示すように、用紙Ｐが下流側へとさらに搬送され、第２搬送ロール４５（図１参照）、第１搬送ロール４４によって更に下流側へと搬送される。なお、本実施の形態では、第１搬送ロール４４により用紙Ｐが保持（ニップ）された後、第２搬送ロール４５における一方のロール状部材を他方のロール状部材から離間させ、さらに、回転ロール８１０をベルト８０４から離間させる。ここで、本実施の形態に係る画像形成装置１は、用紙Ｐの側端を検知するセンサを有しており、このセンサによる検知結果に基づき、用紙Ｐをニップしている第１搬送ロール４４を用紙Ｐの搬送方向と直交する方向に移動させる。
これにより用紙Ｐの搬送方向と直交する方向において、一定の位置を用紙Ｐが通過するようになり、用紙Ｐ上の意図した箇所に画像が形成されるようになる。
【０１０７】
また、第１搬送ロール４４による、二次転写ロール３１およびロール部材２３によって構成される二次転写部への用紙Ｐの送り込みに際しては、図示しないタイミング調整機構によって転写処理に対する用紙Ｐの到達タイミングが調整される。このタイミング調整機構は、第１搬送ロール４４の用紙搬送方向上流側に設けられたレジセンサ３２（図１参照）が用紙Ｐの先端の通過を検知したタイミングに基づいて、第１搬送ロール４４による用紙Ｐの搬送速度を可変することにより、二次転写部へのトナー像の到達タイミングに合わせて、二次転写部への用紙Ｐの到達タイミングを調整する。
【０１０８】
次に、以上のように構成された画像形成装置１における制御部８０の、画像形成装置１を構成する各装置および各部の動作を制御する態様について説明する。
図１６は、タブ紙の両面に対して画像形成の要求があった場合の動作を示す図である。
以上のように構成された画像形成装置１において、ユーザより、用紙の辺の少なくとも一部に一直線ではない特殊部位を有する特殊紙の両面に対して画像形成の要求があった場合には、制御部８０は、以下のように各部を制御する。なお、特殊紙としては、４つの辺全てが一直線で矩形の普通紙と異なり、例えば、４つの辺の内の少なくとも一つの辺に、この辺から外側に突出したタブを有するタブ紙を例示することができる。以下ではこのタブ紙を例に取り説明する。
【０１０９】
ユーザより、タブ紙の両面に対して画像形成の要求があった場合には、制御部８０は、タブ紙が収容されている用紙収容部４１からタブ紙を取り出すためにタブ紙が収容されている用紙収容部４１を有する第１用紙供給装置４０Ａまたは第２用紙供給装置４０Ｂの取り出しロール４２を駆動し、タブ紙を第１搬送経路Ｒ１に供給する。上述したように用紙収容部４１には、タブ紙が、タブが形成された辺と対向する辺側から取り出しロール４２にて取り出されるように収容されているので、タブが形成された辺と対向する辺が用紙搬送方向の先端となり、タブが形成された辺が後端となる状態で第１搬送経路Ｒ１を搬送される。
【０１１０】
次に、制御部８０は、スキュー用センサ８０７が、第３搬送ロール４６によって搬送されるタブ紙の先端を検知すると、駆動ロール８０２の回転駆動を開始し、突き当て部材４３の移動を開始する。これにより、タブ紙の先端が突き当て部材４３に突き当たるとともに、この状態のまま、用紙Ｐの搬送が継続され、タブ紙のスキューが補正される。そして、制御部８０は、第２搬送ロール４５および第１搬送ロール４４を駆動し、二次転写ロール３１およびロール部材２３によって構成される二次転写部までタブ紙を搬送し、二次転写装置３０にてタブ紙の２つの面のうちの一方の面上に中間転写ベルト２０上のトナー像を転写する。そして、制御部８０は、定着装置５０にて、タブ紙の一方の面上に転写された画像をこのタブ紙に定着する。
【０１１１】
制御部８０は、タブ紙を第１の反転装置１００の方へ搬送する側に第１のゲート１１２および第２のゲート１１３の位置を切り替え、タブ紙を第１の反転装置１００へ搬送するとともに、第１の反転装置１００にてタブ紙の表裏を反転させる。上述したように、第１の反転装置１００では、タブ紙は、用紙搬送方向の先端および後端の関係を変えることなく、２つの側端（側辺）の関係を反転することで表裏が反転される。その後、制御部８０は、第４搬送経路Ｒ４および第１搬送経路Ｒ１に設けられた複数の搬送ロール４８にて、タブ紙を、第４搬送経路Ｒ４および第１搬送経路Ｒ１を搬送する。この際、タブ紙は、タブが形成された辺が後端となり、タブが形成された辺と対向し、タブが形成されていない辺が先端となる状態で搬送される。
【０１１２】
次に、制御部８０は、スキュー用センサ８０７が、第３搬送ロール４６によって搬送されるタブ紙の先端を検知すると、駆動ロール８０２の回転駆動を開始し、突き当て部材４３の移動を開始する。これにより、タブ紙の先端が突き当て部材４３に突き当たるとともに、この状態のまま、用紙Ｐの搬送が継続され、タブ紙のスキューが補正される。そして、制御部８０は、第２搬送ロール４５および第１搬送ロール４４を駆動し、二次転写部までタブ紙を搬送し、二次転写装置３０にてタブ紙の２つの面のうちの他方の面上に中間転写ベルト２０上のトナー像を転写する。そして、制御部８０は、定着装置５０にて、タブ紙の他方の面上に転写された画像をこのタブ紙に定着する。
【０１１３】
このように本実施の形態に係る画像形成装置１においては、用紙搬送方向の先端および後端の関係を変えることなく表裏を反転する第１の反転装置１００を備えているので、タブ紙の２つの面のうちの一方の面上に画像を形成するときと他方の面上に画像を形成するときとの両方において、タブが形成されていない辺を用紙搬送方向の先端することが可能になっている。これにより、タブ紙のタブが形成されていない辺、つまり一直線である辺を突き当て部材４３に突き当てることができ、タブが形成されている辺を突き当てる場合よりも、スキュー補正がより確度高く行われることとなる。また、第１搬送ロール４４の用紙搬送方向上流側に設けられたレジセンサ３２が、タブが形成されていない辺、つまり一直線である辺を検知するので、タブが形成されている辺を検知する場合よりも、二次転写部へのタブ紙の到達タイミングがより確度高く調整されることとなる。
【０１１４】
次に、タブ紙を含む用紙束に対して画像形成を行う場合について説明する。
開口部３から排出された用紙は、用紙積載部４上で、用紙搬送方向の後端が筐体２の側面に突き当たった状態で積載される（図１参照）。ゆえに、タブ紙と普通紙とから構成される用紙束に画像形成を行う場合、タブ紙が、タブが形成された辺が後端となって排出されてそのまま積載されると、タブが筐体２の側面に突き当たった状態で積載される。これに対して、普通紙は、タブがない一直線の辺が後端となって排出され、この辺が筐体２の側面に突き当たった状態で積載される。その結果、タブがない普通紙とタブ紙とが整然と積載され難くなる。
【０１１５】
そこで、本実施の形態に係る画像形成装置１においては、タブ紙を、タブが形成されていない辺が後端となる状態で排出し、積載するようにする。つまり、上述したように、タブ紙に対して画像形成を行う場合には、タブ紙を、タブが形成された辺が後端となり、タブが形成された辺と対向する辺が先端となる状態で搬送して、二次転写、定着を行い、その後、第２の反転装置１１０にて用紙搬送方向の先端と後端とが入れ替わるように表裏を反転した上で開口部３から排出する。
【０１１６】
用紙束を、用紙積載部４に積載する場合、用紙束のページ順が順番通りになった状態で積載することが望ましい。それゆえ、ページ順が早い用紙から先に画像形成を行い、排出、積載する場合には、積載する用紙の表裏両面に対して画像が形成されている場合には、この用紙の２つの面に対して形成される画像の内、ページ順が遅い画像を上にして開口部３から排出、積載する必要がある。
【０１１７】
そこで、タブ紙を含む用紙束に対する画像形成の要求であり、かつ用紙束内の用紙の両面に対して画像形成の要求があった場合には、制御部８０は、以下のように画像形成装置１を構成する各装置および各部の動作を制御する。
図１７は、タブ紙を含む用紙束に対する画像形成の要求であり、かつ、用紙の両面に対して画像形成の要求があった場合の動作を示す図である。図１７（ａ）はタブ紙の両面に対して画像形成を行う場合の動作を、図１７（ｂ）は普通紙の両面に対して画像形成を行う場合の動作を示している。なお、図１７においては、タブ紙に形成する、先のページの画像を「１」、後のページの画像を「２」とし、普通紙に形成する、先のページの画像を「３」、後のページの画像を「４」とする。
【０１１８】
先ず、用紙束内のタブ紙の両面に対して画像形成を行う場合について説明する。
制御部８０は、用紙束内のタブ紙に対して両面の画像形成の要求があった場合、取り出しロール４２を駆動して、タブが形成された辺が後端となる状態で第１搬送経路Ｒ１を搬送させる。そして、二次転写装置３０にてタブ紙の２つの面のうちの一方の面上に、このタブ紙に対して形成される両面の画像のうちページ順が遅い画像、つまり後のページの画像を転写する。そして、定着装置５０にて、タブ紙の一方の面上に転写された、後のページの画像をこのタブ紙に定着する。
【０１１９】
その後、制御部８０は、第１の反転装置１００にてタブ紙の表裏を反転させ、第４搬送経路Ｒ４および第１搬送経路Ｒ１に設けられた複数の搬送ロール４８にて、タブ紙を、第４搬送経路Ｒ４および第１搬送経路Ｒ１を搬送する。その後、二次転写装置３０にてタブ紙の２つの面のうちの他方の面に、このタブ紙に対して形成される両面の画像の内ページ順が早い画像、つまり先のページの画像を転写する。そして、定着装置５０にて、タブ紙の他方の面上に転写された、先のページの画像をこのタブ紙に定着する。
【０１２０】
そして、制御部８０は、両面に画像が形成されたタブ紙を第２の反転装置１１０にて表裏を反転する。すなわち、制御部８０は、第２搬送経路Ｒ２から反転経路Ｈ１の方へ搬送する側に第１のゲート１１２および第２のゲート１１３の位置を切り替えるとともに反転用搬送ロール１１１を一方の回転方向に回転させ、タブ紙を反転経路Ｈ１へ搬送する。その後、制御部８０は、導出経路Ｄ２を介して反転経路Ｈ１から第２搬送経路Ｒ２へタブ紙を導出する位置に第２のゲート１１３の位置を切り替えるとともに反転用搬送ロール１１１を他方の回転方向に回転させ、第２搬送経路Ｒ２を介して開口部３から排出し、用紙積載部４上に積載する。第２の反転装置１１０にて反転されたタブ紙は、タブ紙が用紙搬送方向の先端と後端とが入れ替わるように表裏が反転されるので、後のページの画像が形成された一方の面が上を向き、タブが形成された辺が先端となる状態で下流側へ搬送されて開口部３から排出され、用紙積載部４上に積載される。これにより、タブ紙は、タブが形成された辺が図１における右側の位置、タブが形成された辺と対向する辺が左側の位置となった状態で、かつ、後のページの画像が形成された一方の面が上を向いた状態で用紙積載部４に積載される。
【０１２１】
上述した制御部８０の処理を、フローチャートを用いて説明する。
図１８は、制御部８０が、タブ紙を含む用紙束内のタブ紙の両面に対して画像形成を行う際の処理手順を示すフローチャートである。
制御部８０は、タブ紙の２つの面のうちの一方の面が上を向き、タブが形成された辺が後端となる状態でタブ紙を二次転写部に供給する（ステップ（以下、単に、「Ｓ」と記す。）１８０１）。次に、二次転写装置３０および定着装置５０にて、タブ紙の一方の面上に後のページの画像を形成する（Ｓ１８０２）。その後、一方の面上に後のページの画像が形成されたタブ紙を、第１の反転装置１００にて表裏を反転させる（Ｓ１８０３）。その後、タブ紙の２つの面のうちの他方の面が上を向き、タブが形成された辺が後端となる状態でタブ紙を二次転写部に供給し、タブ紙の他方の面上に先のページの画像を形成する（Ｓ１８０４）。その後、両面に画像が形成されたタブ紙を、第２の反転装置１１０にて表裏を反転させ（Ｓ１８０５）、開口部３から排出して、用紙積載部４上に積載させる（Ｓ１８０６）。
【０１２２】
次に、用紙束内の普通紙の両面に対して画像形成を行う場合について説明する。
用紙束内の画像形成を行うべき用紙がタブなしの普通紙である場合にも、タブ紙である場合と同様に、制御部８０は、先ず、第１用紙供給装置４０Ａあるいは第２用紙供給装置４０Ｂから供給され第１搬送経路Ｒ１を介して二次転写部に到達した普通紙に対して、二次転写装置３０にて、この普通紙に対して形成される両面の画像の内、後のページの画像を転写する。そして、定着装置５０にて、転写された後のページの画像をこの普通紙に定着する。
【０１２３】
その後、制御部８０は、第１の反転装置１００にて普通紙の表裏を反転させ、第４搬送経路Ｒ４および第１搬送経路Ｒ１に設けられた複数の搬送ロール４８にて、普通紙を、第４搬送経路Ｒ４および第１搬送経路Ｒ１を搬送する。その後、二次転写装置３０にて、この普通紙に対して形成される両面の画像の内、先のページの画像を転写する。そして、定着装置５０にて、転写された先のページの画像をこの普通紙に定着する。
【０１２４】
そして、制御部８０は、両面に画像が形成された普通紙を第２の反転装置１１０にて表裏を反転し、第２搬送経路Ｒ２を介して開口部３から排出し、用紙積載部４上に積載する。第２の反転装置１１０にて反転された普通紙は、普通紙が用紙搬送方向の先端と後端とが入れ替わるように表裏が反転されるので、後のページの画像が形成された一方の面が上を向いた状態で開口部３から排出され、用紙積載部４上に積載される。
【０１２５】
上述した制御部８０の処理を、フローチャートを用いて説明する。
図１９は、制御部８０が、タブ紙を含む用紙束内の普通紙の両面に対して画像形成を行う際の処理手順を示すフローチャートである。
制御部８０は、普通紙を二次転写部に供給し（Ｓ１９０１）、二次転写装置３０および定着装置５０にて、普通紙の一方の面上に後のページの画像を形成する（Ｓ１９０２）。その後、一方の面上に後のページの画像が形成された普通紙を、第１の反転装置１００にて表裏を反転させる（Ｓ１９０３）。その後、普通紙を二次転写部に供給し、普通紙の他方の面上に先のページの画像を形成する（Ｓ１９０４）。その後、両面に画像が形成された普通紙を、第２の反転装置１１０にて表裏を反転させ（Ｓ１９０５）、開口部３から排出して、用紙積載部４上に積載させる（Ｓ１９０６）。
【０１２６】
以上説明したように、制御部８０が、タブ紙を含む用紙束内のタブ紙および普通紙に対して画像形成を行うことにより、タブ紙も普通紙も全て、その用紙に対して形成される両面の画像の内、後のページの画像が形成された面が上になる状態で用紙積載部４上に積載されるので、用紙束のページ順が順番通りになった状態で整然と積載されることとなる。
【０１２７】
なお、上述した例では、用紙束内の普通紙の両面に対して画像形成を行う場合に、第２の反転装置１１０にて表裏を反転させて開口部３から排出する態様について説明したが、特にかかる態様に限定されない。
図２０は、タブ紙を含む用紙束に対する画像形成の要求であり、かつ、用紙の両面に対して画像形成の要求があった場合の他の動作を示す図である。図２０（ａ）はタブ紙の両面に対して画像形成を行う場合の動作を、図２０（ｂ）は普通紙の両面に対して画像形成を行う場合の動作を示している。なお、図２０においては、タブ紙に形成する、先のページの画像を「１」、後のページの画像を「２」とし、普通紙に形成する、先のページの画像を「３」、後のページの画像を「４」とする。
【０１２８】
図２０に示した他の動作例においては、用紙束内のタブ紙に対して両面の画像形成を行う処理は上述と同じであるのでその説明は省略する。普通紙の両面に対する画像形成は以下に説明するように行う。
すなわち、制御部８０は、先ず、第１用紙供給装置４０Ａあるいは第２用紙供給装置４０Ｂから供給され第１搬送経路Ｒ１を介して二次転写部に到達した用紙に対して、二次転写装置３０にて、この普通紙に対して形成される両面の画像の内、先のページの画像を転写する。そして、定着装置５０にて、転写された先のページの画像をこの普通紙に定着する。
【０１２９】
その後、制御部８０は、第１の反転装置１００にて普通紙の表裏を反転させ、第４搬送経路Ｒ４および第１搬送経路Ｒ１に設けられた複数の搬送ロール４８にて、普通紙を、第４搬送経路Ｒ４および第１搬送経路Ｒ１を搬送する。その後、二次転写装置３０にて、この普通紙に対して形成される両面の画像の内、後のページの画像を転写する。そして、定着装置５０にて、転写された後のページの画像をこの普通紙に定着する。
そして、制御部８０は、両面に画像が形成された普通紙を、第２の反転装置１１０にて表裏を反転することなしに、下流へ搬送し、開口部３から排出する。第２の反転装置１１０にて反転することなしに普通紙を排出するので、後のページの画像が形成された面が上になる状態で用紙積載部４上に落下し、その状態で積載される。
【０１３０】
上述した制御部８０の処理を、フローチャートを用いて説明する。
図２１は、制御部８０が、タブ紙を含む用紙束内の普通紙の両面に対して画像形成を行う際の処理手順を示すフローチャートである。
制御部８０は、普通紙を二次転写部に供給し（Ｓ２１０１）、二次転写装置３０および定着装置５０にて、普通紙の一方の面上に先のページの画像を形成する（Ｓ２１０２）。その後、一方の面上に先のページの画像が形成された普通紙を、第１の反転装置１００にて表裏を反転させる（Ｓ２１０３）。その後、普通紙を二次転写部に供給し、普通紙の他方の面上に後のページの画像を形成する（Ｓ２１０４）。その後、両面に画像が形成された普通紙を、開口部３から排出して、用紙積載部４上に積載させる（Ｓ２１０５）。
【０１３１】
この他の動作例においても、制御部８０が、タブ紙を含む用紙束内のタブ紙および普通紙に対して画像形成を行うことにより、タブ紙も普通紙も全て、その用紙に対して形成される両面の画像の内、後のページの画像が形成された面が上になる状態で用紙積載部４上に積載されるので、用紙束のページ順が順番通りになった状態で整然と積載されることとなる。
【０１３２】
上述した実施の形態に係る画像形成装置１においては、画像形成装置１の筐体２内に第２の反転装置１１０を設けているが特にかかる態様に限定されない。用紙搬送方向の先端と後端とが入れ替わるように表裏を反転する装置を、画像形成装置１の外部に接続してもよい。
図２２は、用紙処理装置１０００の概略構成を示す図である。
画像形成システムの一例としての用紙処理装置１０００は、上述した画像形成装置１（ただし、用紙積載部４は除く）と、用紙に対してカール補正を施すカール補正処理部１５１を有する第１の後処理装置１５０と、用紙搬送方向の先端と後端とが入れ替わるように表裏を反転する前後側反転手段の一例としての第２の反転装置１６０と、例えば端綴じ用のステープルや用紙を集めて束ねるコンパイルトレイなどを備えた第２の後処理装置１７０と、を備えている。図２２に示した用紙処理装置１０００では、第１の後処理装置１５０が画像形成装置１に連結されており、第２の反転装置１６０が第１の後処理装置１５０に連結されており、第２の後処理装置１７０が第２の反転装置１６０に連結されている。これら第１の後処理装置１５０、第２の反転装置１６０および第２の後処理装置１７０の各部の作動は画像形成装置１の制御部８０により制御される。
なお、かかる場合、画像形成装置１には、上述した画像形成装置１に設けられていた導出経路Ｄ２および第２のゲート１１３を設けなくてもよく、反転用搬送ロール１１１の代わりに搬送ロール４８を用いてもよい。
【０１３３】
第１の後処理装置１５０のカール補正処理部１５１は、用紙搬送経路Ｒ５の途上に配置されたロール１５２と、このロール１５２と太さの違うスポンジロール１５３とを有し、スポンジロール１５３がロール１５２に食い込む程度に圧着（ニップ）されて構成される。そして、スポンジロール１５３とロール１５２とのニップ間を通過させることにより、トナーの融着や定着時の加熱加圧等によりカールした用紙を、カールした方向とは反対方向に強制的にしごくことでカール補正を施す。
【０１３４】
第２の反転装置１６０には、この第２の反転装置１６０内を用紙Ｐが水平方向に通過する水平搬送経路Ｒ６と、この水平搬送経路Ｒ６と交差する方向に伸びる反転経路Ｈ１と、用紙Ｐを水平搬送経路Ｒ６から反転経路Ｈ１へ導入する導入経路Ｄ１と、用紙Ｐを反転経路Ｈ１から水平搬送経路Ｒ６へ導出する導出経路Ｄ２と、が形成されている。そして、第２の反転装置１６０は、第１の後処理装置１５０から排出された用紙Ｐを装置筐体内に受け入れる受入側ロール１６１と、装置筐体内に受け入れた用紙Ｐを装置筐体外へ排出する排出側ロール１６２と、を水平搬送経路Ｒ６上に備えている。また、第２の反転装置１６０は、反転経路Ｈ１上に、両方向に回転可能な複数（この実施例では２つ）の反転用搬送ロール１６３を備えている。反転用搬送ロール１６３は、用紙Ｐを反転させるべく導入経路Ｄ１を介して水平搬送経路Ｒ６から反転経路Ｈ１へ導入するときには一方の回転方向に回転し、導出経路Ｄ２を介して反転経路Ｈ１から水平搬送経路Ｒ６へ用紙Ｐを導出するときには他方の回転方向に回転する。
【０１３５】
第２の反転装置１６０は、導入経路Ｄ１の水平搬送経路Ｒ６への接続部位に、受入側ロール１６１にて搬送される用紙Ｐを、水平搬送経路Ｒ６を通過させるか、あるいは導入経路Ｄ１を介して反転経路Ｈ１へ導くかを切り替える第１のゲート１６４を備えている。また、第２の反転装置１６０は、導入経路Ｄ１と導出経路Ｄ２との接続部位に、導入経路Ｄ１を通過してきた用紙Ｐを反転経路Ｈ１へ案内するか、あるいは反転経路Ｈ１から導出経路Ｄ２を介して水平搬送経路Ｒ６へ案内するかを切り替える第２のゲート１６５を備えている。
このように構成された第２の反転装置１６０においては、制御部８０が、受入側ロール１６１、排出側ロール１６２および反転用搬送ロール１６３の駆動、第１のゲート１６４、第２のゲート１６５の位置を制御することで、用紙Ｐの第２の反転装置１６０内の単なる通過や、用紙搬送方向の先端と後端とが入れ替わるように用紙Ｐの表裏を反転することを制御する。
【０１３６】
第２の後処理装置１７０は、用紙に対して孔開け（パンチ）処理を施す孔開け処理部１７１と、用紙を揃える揃え処理を施す揃え処理部１７５と、用紙束に対して綴じ処理を施す綴じ処理部１８０と、を備えている。また、第２の後処理装置１７０は、上部に配置された用紙積載用の第１の積載トレイ１９１と、装置筐体の側方に取り付けられた用紙積載用の第２の積載トレイ１９２と、第１の積載トレイ１９１に向けて用紙Ｐを排出する第１のイジェクトロール１９３と、第２の積載トレイ１９２に向けて用紙Ｐを排出する第２のイジェクトロール１９４と、を備えている。この第２の後処理装置１７０には、第２の反転装置１６０の水平搬送経路Ｒ６と接続されて、用紙Ｐを第１の積載トレイ１９１まで案内する主用紙搬送路Ｒ７と、主用紙搬送路Ｒ７から分岐して用紙Ｐを揃え処理部１７５まで案内する分岐搬送路Ｒ８と、が形成されている。
【０１３７】
孔開け処理部１７１は、複数（例えば、２本、４本）の孔開けピンが用紙面に対して出没することで孔開けを行う孔開け器１７２と、その孔開け時に出る紙屑を回収する回収箱１７３とを、主用紙搬送路Ｒ７の途上に有している。この孔開け処理部４０による孔開け処理は、主用紙搬送路Ｒ７を案内される用紙Ｐが孔開け器１７２と対向する位置で一旦停止させられ、その停止した状態にある用紙Ｐに対して孔開け器１７２が孔開けピンを用紙Ｐに貫通させることで行われる。
【０１３８】
揃え処理部１７５は、用紙Ｐを複数枚集めて収容するコンパイルトレイ１７６と、コンパイルトレイ１７６に向けて用紙Ｐを排出する一対のロールであるイクジットロール１７７と、を備えている。また、用紙Ｐの後端をコンパイルトレイ１７６のエンドガイドに向けて押し込むために回転するメインパドル１７８およびサブパドル１７９と、コンパイルトレイ１７６の用紙搬送方向に直交する方向の用紙の両端について位置合わせを行うためのタンパ（不図示）と、を備えている。この揃え処理部１７５による揃え処理は、分岐搬送路Ｒ８から搬送される用紙Ｐがイクジットロール１７７により１枚ずつコンパイルトレイ１７６上に放出されるように送り出されて積み重ねられ、そのコンパイルトレイ１７６に積まれる用紙の１枚ごとにパドル１７８，１７９による送り込み動作とタンパによる両端揃え動作が実施されることによって行われる。
第２のイジェクトロール１９４は、コンパイルトレイ１７６のトレイ端部に固定して設けられる第１ロール１９４ａと、この第１ロール１９４ａに接触してニップを形成するとともに上方に退避移動してそのニップを解除する第２ロール１９４ｂと、を有している。
【０１３９】
綴じ処理部１８０は、コンパイルトレイ１７６の下位端部側に設けられ、コンパイルトレイ１７６上に積載される用紙の束を綴じ処理するステープラ（不図示）と、このステープラを綴じ処理部分に応じて移動させるスライド移動機構（不図示）とを備えている。そして、綴じ処理部１８０による綴じ処理は、揃え処理が施されたコンパイルトレイ１７６上にある用紙束に対してステープラがスライド移動機構を介して綴じ位置まで移動して停止し、綴じ動作（ステープル針の打ち込み）を実行することにより行われる。この際、コンパイルトレイ１７６上の用紙束は第２のイジェクトロール１９４のニップに挟まれた状態で保持される。
【０１４０】
第２の後処理装置１７０では、用紙Ｐを上記の揃え処理および綴じ処理を施さないで第２の積載トレイ１９２に直接排出して積載収容することも可能である。この場合には、第２のイジェクトロール１９４がニップを形成した状態になる。これにより、分岐搬送路Ｒ８からイクジットロール１７７により送り出される用紙は、その送り方向先端部が第２のイジェクトロール１９４のニップに達するまでコンパイルトレイ１７６の積載面に接触した状態で送り出され、第２のイジェクトロール１９４に到達した段階でそのニップにより保持されて第２の積載トレイ１９２に搬送排出される。
【０１４１】
また、綴じ処理を行わないで揃え処理のみを行った用紙束をそのままの状態で第２の積載トレイ１９２に排出して積載収容することもできる。この場合にも、コンパイルトレイ１７６上での複数の用紙の揃え処理が施された後に第２のイジェクトロール１９４の第２ロール１９４ｂが下降して用紙束を第１ロール１９４ａとの間で挟みこんだ状態になり、その状態で第２のイジェクトロール１９４により用紙束が第２の積載トレイ１９２上に搬出されて積載される。
【０１４２】
以上のように構成された用紙処理装置１０００において、タブ紙を含む用紙束内の各紙の両面に対して画像形成を行う場合には、制御部８０は、画像形成装置１内の第２の反転装置１１０にて表裏を反転する代わりに、第２の反転装置１６０にて表裏を反転すればよい。
すなわち、図１７を用いて説明した例では、タブ紙を含む用紙束に対して画像形成を行う場合には、タブ紙、普通紙を問わず、画像形成装置１にて用紙の両面に画像形成を行った後に開口部３から排出し、その後、第２の反転装置１６０にて表裏を反転した後に、第１の積載トレイ１９１あるいは第２の積載トレイ１９２に積載すればよい。
【０１４３】
図２０を用いて説明した例では、タブ紙の場合には、画像形成装置１にて用紙の両面に画像形成を行った後に開口部３から排出し、その後、第２の反転装置１６０にて表裏を反転した後に、第１の積載トレイ１９１あるいは第２の積載トレイ１９２に積載する。普通紙の場合には、画像形成装置１にて用紙の両面に画像形成を行った後に開口部３から排出し、その後、第２の反転装置１６０にて表裏を反転することなしに、第１の積載トレイ１９１あるいは第２の積載トレイ１９２に積載すればよい。
これらにより、タブ紙も普通紙も全て、その用紙に対して形成される両面の画像の内、後のページの画像が形成された面が上になる状態で第１の積載トレイ１９１あるいは第２の積載トレイ１９２上に積載されるので、用紙束のページ順が順番通りになった状態で整然と積載されることとなる。
【０１４４】
なお、画像形成装置１あるいは用紙処理装置１０００に、辺の少なくとも一部に一直線ではないタブを有するタブ紙を含む用紙束に対する画像形成の要求であり、かつ、タブ紙の両面に対して画像形成の要求があった場合に、第１搬送ロール４４にてタブを有する辺を後辺とした状態で給送されるタブ紙に対して二次転写装置３０にて後のページの画像を形成する機能と、後のページの画像が形成されたタブ紙をタブが後辺側となる状態で第１の反転装置１００にて表裏を反転させる機能と、第１の反転装置１００にて表裏が反転させられたタブ紙に対して二次転写装置３０にて先のページの画像を形成する機能と、先のページの画像が形成されたタブ紙を第２の反転装置１１０（１６０）にて表裏を反転させた後に下流側へ搬送する機能と、を実現させるプログラムを、通信手段により提供することはもちろん、ＣＤＲＯＭ等の記録媒体に格納して提供することも可能である。
【符号の説明】
【０１４５】
１…画像形成装置、１０…画像形成ユニット、２０…中間転写ベルト、３０…二次転写装置、５０…定着装置、７０…受信部、８０…制御部、９０…ユーザインタフェース部（ＵＩ）、１００…第１の反転装置、１１０，１６０…第２の反転装置、１５０…第１の後処理装置、１７０…第２の後処理装置、２００…用紙案内部、２１０…搬入部、２２０…反転部、２３０…搬出部、３００…搬入搬送部、４００…反転搬送部、５００…搬出搬送部、１０００…用紙処理装置
【図１】
0005724633.tif 000002
【図２】
0005724633.tif 000003
【図３】
0005724633.tif 000004
【図４】
0005724633.tif 000005
【図５】
0005724633.tif 000006
【図６】
0005724633.tif 000007
【図７】
0005724633.tif 000008
【図８】
0005724633.tif 000009
【図９】
0005724633.tif 000010
【図１０】
0005724633.tif 000011
【図１１】
0005724633.tif 000012
【図１２】
0005724633.tif 000013
【図１３】
0005724633.tif 000014
【図１４】
0005724633.tif 000015
【図１５】
0005724633.tif 000016
【図１６】
0005724633.tif 000017
【図１７】
0005724633.tif 000018
【図１８】
0005724633.tif 000019
【図１９】
0005724633.tif 000020
【図２０】
0005724633.tif 000021
【図２１】
0005724633.tif 000022
【図２２】
0005724633.tif 000023